(57)【特許請求の範囲】
【請求項１】
サンバイザーに巻いて該サンバイザーの裏側で重なった部分をホッチキスあるいは粘着テープで止め該サンバイザーに装着することができるシート本体と、
このシート本体を縦に折り畳んで形成した下部および上部と、
前記下部を裏側に縦に折り畳んで形成した縁折部と、
前記上部と前記下部の間に形成されたカードを差し込み係止するためのカード差込係止部と、
前記上部を前記縁折部の縁よりも内側で折り畳んで該上部より外側に露出するように形成した前記下部の露出部位であるカード案内部とからなることを特徴とするカード等差込係止部付部材。
【請求項２】
シート本体に、四角形のカードの四隅角を挿入することができる４箇所の切込みからなる挿入係止部を設けてなることを特徴とする請求項１記載のカード等差込係止部付部材。
【発明の詳細な説明】
【０００１】
【発明の属する技術分野】
本発明は自動車内のサンバイザーに装着するカード等差込係止部付部材に関する。
【０００２】
【従来技術】
消臭機能を有するシートを積層させたフレームにベルトを設けて、このベルトでサンバイザーに前記フレームを装着する自動車用消臭用具が特開平９−２３９０１９に開示されている。また、サンバイザーに開口部が設けられ、この開口部に着脱自在に消臭剤が収納された収納ボックスをはめ込むようにした自動車用サンバイザーが実案開平３−８１１５２に開示されている。また、消臭紙を折り畳んで扇形に開かせた状態で通気孔を有する収納ボックスに収納してなるプリーツ状紙製消臭器が実案登録３０７６２３７に開示されている。また、自動車のオイル交換時期などのメンテナンス情報は目に付くところにないために、忘れてしまい自動車の寿命や部品の寿命を短くしてしまうという問題があった。
【０００３】
【発明が解決しようとする課題】
特開平９−２３９０１９に開示されているものは、その構成が消臭シートの積層、フレーム、ベルトと構成部品が多く製造コストや運送費が嵩むなど高価になり、安価で広告機能を有するノベルティー商品としては採用し難いという欠点を持つものであった。実案開平３−８１１５２に開示されているものは、サンバイザーに所定の開口部を有している特定の自動車にしか使用できない、消臭剤とそれを収納した収納ボックスと構成部品が多く製造コストや運送費が嵩むため高価になるなど、どの車でも使用できる安価で広告機能を有するノベルティー商品としては採用し難いという欠点を持つものであった。実案登録３０７６２３７に開示されているものは、消臭紙をプリーツ状に形成し、それを通気孔を有する収納ケースに収めたものであるので、構成部品が多く製造コストや運送費が嵩み高価となり、車内の目に付かない場所に置かれるので宣伝効果が弱い、安価なノベルティー商品としては採用し難いという欠点を持つものであった。また、上述した従来技術は共通して広告やメンテナンス情報が記入できる部位が極端に少なく、自動車修理工場が行なう広告とお客つなぎ止め効果を期待できないという欠点を有するものであった。
【０００４】
本発明は以上のような従来技術の持つ欠点に鑑みてなされたものであって、その目的は、自動車のサンバイザーに簡単に着脱可能で安価なノベルティー品として優れたカード等差込係止部付部材を提供するにある。
【０００５】
【課題を解決するための手段】
上述した目的を達成するために本発明は次に述べるようになっている。
【０００６】
＜請求項１記載の発明＞
サンバイザーに巻いて該サンバイザーの裏側で重なった部分をホッチキスあるいは粘着テープで止め該サンバイザーに装着することができるシート本体と、
このシート本体を縦に折り畳んで形成した下部および上部と、
前記下部を裏側に縦に折り畳んで形成した縁折部と、
前記上部と前記下部の間に形成されたカードを差し込み係止するためのカード差込係止部と、
前記上部を前記縁折部の縁よりも内側で折り畳んで該上部より外側に露出するように形成した前記下部の露出部位であるカード案内部とからなることを特徴とするカード等差込係止部付部材である。
＜請求項２記載の発明＞
請求項１記載の発明の構成において、シート本体に、四角形のカードの四隅角を挿入することができる４箇所の切込みからなる挿入係止部を設けてなることを特徴とするカード等差込係止部付部材である。
【０００７】
【発明の実施の形態】
本発明の実施の形態を図面を参照しながら説明する。但しこれらは本発明の実施の形態及び実施例の説明であって本発明の技術的範囲をこれらに限定するものではない。
【０００８】
＜本出願人の他の発明の実施の形態１＞
図１及び図２において１は通気性を
有する紙製の消臭シート部材であって、この消臭シート部材１は消臭機能を有し且つサンバイザー５に一巻きできる長さのシート部材本体２と、このシート状部材本体２の表面に印刷されたオイル交換時期などのメンテナンス情報表記欄３と、広告記載欄６からなっている。サンバイザー５に消臭シート部材１を巻いて、サンバイザー５の裏側で粘着テープ４で消臭シート部材１の重なり部分を接合固定して、サンバイザー５に消臭シート部材１をしっかりと巻き装着する。粘着テープ４は車内の温度の変化にも十分絶えられる部材を使用する。粘着テープは両面テープでもよいことはいうまでもない。メンテナンス情報記載欄３には、オイル交換時期、オイルフィルター、エアフィルターの交換時期、６ヶ月点検などのメンテナンス情報を記載し役立てる。サンバイザー５と消臭シート部材１との間に、通行券８などを挟み置くことができるチケット等挟み置き部７が形成される。通行券８などをチケット等挟み置き部７に出し入れすることを行うたびに、メンテナンス情報が目につき、絶えず意識化されるのでオイル交換などの交換時期を忘れることなく行うことを可能とする効果を奏する。また、安価に提供できるので自動車修理業者のサービスとして行うことにより、消臭シート部材を交換したい、お客の来場を促進するという効果を奏する。消臭シート部材には、吸着剤や化学分解剤などの消臭剤を保持した紙製消臭紙、繊維そのものが吸着作用や化学分解作用を有するウール製編物、吸着作用や分解作用を有する化学繊維からなる編物や不織布、通気性のない合成樹脂製の消臭機能を有するシート部材などがある。以下に説明する実施の形態において前述した実施の形態の構成と同様の構成には同じ符号を付しその説明を省略する。
＜本出願人の他の発明の実施の形態２＞
図３ないし図５において９は通気性を有する紙製の消臭シート部材であって、この消臭シート部材９は消臭機能を有し且つサンバイザー５に一巻きできる長さのシート部材本体２と、このシート状部材本体の表面に印刷されたオイル交換時期などのメンテナンス情報表記欄３と、広告記載欄６と、消臭シート部材本体２の下方でメンテナンス情報表記欄３の下側を裏側に折って形成した折り目からなるサンバイザー合わせ部１０と、該１０により形成される裏回し部１１と、消臭シート部材本体２の裏側に設けられた粘着剤部１２とからなっている。粘着剤部１２の剥離紙（図示せず）を剥がし、裏回し部１１をサンバイザー５の裏側に下方からまわしサンバイザー合わせ部１０を該５の下縁に当て、粘着剤部１２側をサンバイザー５上方からから裏側に回し少し強く引っ張りながら該５の裏側で裏回し部１１に重ね接着剤１２により接合固定する。１３は鉛筆。サンバイザー合わせ部１０を設けているので、位置合わせとサンバイザー５への抑え強く張っての接合固定の装着作業を、簡単・容易・確実にできるという効果を奏する。
＜本発明の実施の形態３＞
図６ないし図８において１７は通気性を有する紙製の消臭シート部材であって、この消臭シート部材１７は、シート部材本体２の側部を適宜な幅で折り畳折り返してシート部材本体２の内側に名刺大のカードや領収書などをある程度露出した状態に止め挟み置くことができる挟みポケット１８を形成してなるものである。折り畳むことにより、カード等を挟み置くことができるという便利さと共に、広い面積の消臭紙を装着できるので消臭力を高めるという効果を奏する。
＜本発明の実施の形態４＞
図９及び図１０において２２は通気性を有する紙製の消臭シート部材であって、この消臭シート部材２２は挟みポケット部１８を両側に形成したものである。挟みポケット部を２段にするなどより多く設けることにより、より広い消臭面積を得るのでより消臭力を高めることができる。両側部が三重から四重がさねとなっているので、シートの強度を高め破れがたくし、伸縮性を強く出来るという効果を奏する。
＜本出願人の他の発明の実施の形態５＞
図１１及び図１２において２５は通気性を有する紙製の消臭シート部材であって、この消臭シート部材２５はメンテナンス情報表記欄３の情報に挟みポケット部２６が形成されるようにシート部材本体２を折り折り返し、挟みポケット部２６が容易に開かないようにシート部材本体２の両側部が裏側に折り畳んでなるものである。サンバイザー５にバンド２７，２７で両側端を固定されるように装着する。
＜本発明の実施の形態６＞
図１３において３０は巻付けシートであって、このこの巻付けシート３０はサンバイザー５に巻きつけ裏側で両端側を重ねて接合する形態のシート本体３１と、この３１の表側に印刷されたメンテナンス情報表記欄３とからなっている。前記した消臭シート部材１７などをサンバイザーに装着し、その隣に巻付けシート３０を巻付け装着している。このような組合せにすることにより、消臭シート部材にメンテナンス情報表記欄や広告を印刷せずにそのまま使用することができる。消臭シート部材が印刷が行い難いなどのため印刷がコスト高となる、消臭シート部材の凸凹などのその形態からメンテナンス情報表記欄を設ける場合などの対策にもよい。従来技術においては、メンテナンス情報は、オイルを交換した時に交換時の走行キロ数を記入した粘着シールを車内の目立たない場所に貼り付ける、６ヶ月点検などのメンテナンス情報はシールをフロントガラスの上隅などに貼りつけるなどの方法により行なわれていた。従来技術においては、そこにメンテナンス情報が記載されたシールが貼ってあることを忘れてしまい、適切なメンテナンスが行なえなかったという欠点を有するものであった。巻付けシート３０及び該３０を運転席のサンバイザーに装着する方法は、このような従来の技術の欠点を解決するものである。サンバイザー５と巻付けシート３０の間に通行券等を挟み置くことができるので、通行券等を出し入れするたびにメンテナンス情報表記欄が目に付き、メンテナンス情報がそこにあることが無意識のうちに意識化される。これにより、メンテナンス情報がどうなっているか意識化されて、たびたび思い出したように確認するようになる。サンバイザーは運転席からは最も目に付く場所で見やすい場所にあり、ここにメンテナンス情報を表記することは、なんら邪魔にならず且つ忘れてはいけないメンテナンス情報を絶えず換気し注意を怠らないようにできるという効果を奏する。メンテナンス情報を随時記録できると共に、忘れないように無意識の内に意識化して行させて行くということが、修理業者の集客要求とユーザー側の自動車をいつもベストの状態にしておきたいという要求とを同時に解決するという効果を奏する。メンテナンス情報表記欄を有し、サンバイザーに装着した状態で通行券等を挟み置ける部位が啓されるようにする技術思想がそこにはある。
＜本出願人の他の発明の実施の形態７＞
図１４において３２は消臭装置であって、この消臭装置３２はサンバイザー５に巻付け該５に装着するためのサンバイザー合わせ部１０を備えた巻付装着シート３３、この３３のシート本体３４の表側に設けられたシート部材本体２がプリーツ方に形成されシート本体３４に接触部分が貼り付けてなるプリーツ形状消臭シート部材３５とからなっている。シート本体３４一方の側には粘着剤部１２が設けられている。このような構成とすることにより、通気性を有する紙製部材などからなる消臭シートの通気性を良好にでき且つ広い消臭面を形成して消臭力を高める。メンテナンス情報表記欄３をシート本体３４のプリーツ形状消臭シート部材３５の隣に印刷して設けたり、その部位に切り込みを適宜に入れて、メンテナンス情報表記欄３を印刷してなるカードを切り込みに角や突起部を挿入してカードを係止するようにするのもよい。また、巻付けシート３０と組み合わせてサンバイザーに装着するのもよい。
＜本出願人の他の発明の実施の形態８＞
図１５において３７は消臭装置であって、この消臭装置３７は前記した消臭装置３２の構成の巻付け装着シート３３に変えて、シート本体３４を筒状に形成してなる包み装着シート３８にしたものである。サンバイザー５を包み装着シート３８に通して該５の裏側で該３８の弛み部分を摘み畳んで粘着テープ４０で貼り付け固定する。
＜本発明の実施の形態９＞
図１６において４３はメンテナンス情報表記シートであって、このメンテナンス情報表記シート４３は前記した消臭シート部材１７を消臭機能を持たない紙製や鉛筆やボールペンなどの一般的な筆記具で筆記可能な合資樹脂製部材などからなる部材としたものである。４４はシート本体。
＜本出願人の他の発明の実施の形態１０＞
図１７および図４９において４７は消臭装置であって、この消臭装置４７はサンバイザーより少し小さめのシート材や板材からなる裏側に粘着剤部４８を備えた基台４９と、この基台４９に貼られたプリーツ形状消臭シート部材３５と、その隣に上下両端を接着して挟みポケット５０を形成するように設けられた、メンテナンス情報表記欄３を有するメンテナンス情報表記欄付シート部材５１とからなっている。プリーツ形状消臭シート部材３５には「消臭紙の交換（有効期限６ヶ月）は無料です。６ヶ月過ぎたらお遠慮なく気軽に交換にお寄りください。お待ちしています。」などと記載されている。このような記載により、お客の訪問意欲を促するという効果を奏する。消臭装置４７は図４９のように自動車の天井などに貼り付けて使用することも出来る。
＜本出願人の他の発明の実施の形態１１＞
図１８において５３は消臭装置であって、この消臭装置５３は前記した消臭装置４７の基台を巻付装着シート３３としたものである。包み装着シート３８とするのもよい。
＜本発明の実施の形態１２＞
図１９において５５は消臭シート部材であって、この消臭シート部材５５は前記した消臭シート部材１７の表側になる部位にカードの四隅角を挿入することができる４箇所の切込みからなる挿入係止部５６を設けてなるものである。挿入係止部はバンド状のものや両端方を接着して角や突出部分を差し込むようにしたもの、角や突出部部分が入るポケット形状をしたものなど多様な形態がある。メンテナンス情報表記欄３を印刷してなるメンテナンス情報表記カード５７の角を挿入係止部５６の切込みに夫々差し込み係止させる。メンテナンス情報表記カードはハート型、三角形、楕円型など多様な形態や色彩・模様のものをサービス内容や、夫々のサービス業者好みで自在に作製することができ、切替も容易である。カードはメンテナンスに限られず、広告、期間限定サービス、抽選券・プレゼント広告などやこれらの組合せなどのかーどもよい。プレゼントや抽選券や特別サービスキャンペーンなどのキャンペーン等カード５９を装着する部位を４箇所の切込みからなる挿入係止部５８を設けている。
＜本出願人の他の発明の実施の形態１３＞
図２０及び図２１において６２はサンバイザー５に巻付け張った状態に装着する巻付けシート状部材であって、この巻付けシート状部材６２はシート本体６３に挿入係止部５６と４箇所の切込みからなる挿入係止部５８を設けたものである。挿入係止部５６には、台板６４にプリーツ形状消臭シート部材３５を接着してなる消臭装置６５が装着され、挿入係止部５８にはメンテナンス情報表記カード５７が装着されている。
＜本出願人の他の発明の実施の形態１４＞
図２２及び図２３において６７はサンバイザー５に巻付け張った状態に装着する巻付けシート状部材であって、この巻付けシート状部材６７はシート本体６８に横長のカード体が装着できるようにした６箇所の切込みからなる挿入係止部６９を設けた構成となっている。中央の上下２箇所の切り込みは内側に凸側を向かい合わせた凸切り込みとなっている。７０は消臭装置であって、この消臭装置７０は長方形の厚紙からなり台紙７１に第１層目プリーツ形状消臭シート部材７２が貼られ、通気性消臭シート部材７３に第２層目プリーツ形状消臭シート部材７４が貼られ、該７３と該７４の頂上部を接着接合してなる構成の消臭手段７７が二つ設けられてなっている。消臭装置７０を二個を一センチ以上の間隔を空けて設けているので、消臭面積が大きく空気の時間単位の接触量も大きい上に、二つに分けることにより空気通路が短くなり空気の流通がスムーズになるので大変効果的な消臭力を得ることができる。また、巻付けシート状部材６７はサンバイザー５に装着したまま使用し続け、消臭装置７０のみを交換することができる。消臭装置７０を装着した巻付けシート状部材６７の該７０の上部には空欄が形成され、メンテナンス情報を表記したメンテナンス情報表記粘着シート７５を貼り付け置く空き部７６となっている。空き部７６は消臭装置７０の横側でもよい、この方が消臭装置７０の消臭面積を大きくできる。
＜本出願人の他の発明の実施の形態１５＞
図２４において７８は包み装着消臭シート部材であって、この包み装着消臭シート部材７８通気性和紙部材に消臭剤を添加してなるしシート本体７９を筒状に形成したものである。サンバイザー５を包み装着消臭シート部材７８の通して該５の裏側で該７８の弛み部分を摘み畳んで粘着テープ４０で貼り付け固定する。
＜本出願人の他の発明の実施の形態１６＞
図２５において８１は包み装着消臭シート部材であり、この包み消臭シート部材８１は消臭機能を有する筒状に形成したシート本体２と、このシート本体２のサンバイザー５の表側に当る部位に形成されたプリーツ部８２とからなっている。プリーツ部８２を広げてサンバイザー５を通して装着するだけである。
＜本出願人の他の発明の実施の形態１７＞
図２６において８４は着消臭シート部材であり、この消臭シート部材８４は前記した包み装着消臭シート部材８１を筒状とせず平シートとしたものである。サンバイザー５を巻くように包んで該５の裏側で重ね粘着テープ４０などで接合し筒状体に形成し、サンバイザー５の一部を覆うように装着する。
＜本出願人の他の発明の実施の形態１８＞
図２７において８６は包み装着消臭シート部材であって、この包み装着消臭シート部材８６は前記した包み装着シート部材８１のサンバイザー５の裏側に当る部位にもプリーツ部８７を形成してなるものである。
＜本出願人の他の発明の実施の形態１９＞
図２８において８９は消臭装置であり、この消臭装置８９は前記した包み装着消臭シート部材８６と、高い通気性と消臭機能を有するストッキング状部材やウール編物製部材などの伸縮性筒状部材からなる包み装着部材９０とからなっている。サンバイザー５に包み装着消臭シート部材８６を装着しその上から包み覆うように、該８６を軽く抑えるように形成された包み装着部材９０を装着する。包み装着消臭シート部材８６と包み装着部材９０の両者の消臭効果によりより効率的でより多くの消臭原因物質の吸着や分解を行なうことができる。
＜本発明の実施の形態２０＞
図２９及び図３０において９２は消臭装置であり、この消臭装置９２は挟みポケット１８を両側部に有するサンバイザー５に巻いて装着する巻付けシート部９３と、該９３のサンバイザー５の表側と裏側に位置させられるプリーツ形状消臭シート部材３５と同じ形態のプリーツ消臭シート部材９４、９５と、サンバイザー５の裏側に上方に位置されてサンバイザー５を車両天井から離しておくための隙間形成アダプター９６とからなっている。隙間形成アダプター９６により、裏側に位置するプリーツ形状消臭シート部材９５は潰されることなく良好な空気通過性を得ることができ、その消臭力を十分に発現することができる。
＜本発明の実施の形態２１＞
図３１において９９は消臭装置であり、この消臭装置９９は挟みポケット１８を両側部に有するサンバイザー５に巻いて装着する巻付けシート部材９３と、該９３のサンバイザーの表側に位置する部位に設けられた縦向きの粘着剤部１００と、この粘着剤部１００に縦に広げ貼りつけるプリーツ形状消臭シート部材１０１とからなっていて、該１０１は折り畳み縮小されて箱体やラップシート材などの密封包装部材１０２で密封包装された状態で提供される。図示しないが、粘着剤部１００にプリーツ形状消臭シート部材１０１と合わせて広告表記シートやメンテナンス情報表記シートなどを張り付けるのもよい。また、巻付けシート部材９３が消臭シート部材であるものもよい。この場合、粘着剤部１００に貼りつけるのは広告表記シートやメンテナンス情報表記シートなどのみでよい。消臭シート１０１の密封包装は該１０１が長目の場合は折り畳んだ状態で密封するのが包装容器や包装材の低コスト化と小型化を実現しより安価に出来る。
＜本発明の実施の形態２２＞
図３２において１０４は消臭装置であり、この消臭装置１０４は前記した消臭装置９９の粘着剤部を横向きの粘着剤部１０５としたもので、長目のプリーツ形状消臭シート部材１０６を横に広げて貼り付けている。
＜本出願人の他の発明の実施の形態２３＞
図３３において１０８は消臭装置であり、この消臭装置１０８は少し腰のある厚紙からなる巻付けシート部材１０９にプリーツ形状消臭シート部材１１０を設け、サンバイザー５に巻付けシート部材１０９を巻きクリップ１１１による４箇所の挟持により装着係止している。
＜本出願人の他の発明の実施の形態２４＞
図３４において１１３はサンバイザーへの消臭部材等の装着方法であり、このサンバイザーへの消臭部材装着方法１１３は、消臭機能を有するウール編物製などの伸縮性消臭部材からなるサンバイザーよりも細めに形成された伸縮性筒状消臭部材１１４をサンバイザー５を挿入装着し、該１１４と該５の間にカード本体１１８にメンテナンス情報表記部６と広告部１１５とを有し、該６と該１１５が伸縮性筒状消臭部材１１４から露出する長さのメンテナンス情報等表記カード１１６を挟持させている。メンテナンス情報等表記カード１１６の広告部１１５はシート部材１１７に印刷され該１１７は上下両端をカード本体１１８に接着されてチケット等挟み置き部１１９を形成している。伸縮性筒状消臭部材１１４ではなく、広告記載欄やメンテナンス情報記載欄を有しない消臭シート部材をサンバイザーに巻き装着して、サンバイザーとその消臭シート部材の間にメンテナンス情報等表記カード１１６を挟持させる方法もよいし、そのような構成の消臭メンテナンス情報装置もよい。このようなメンテナンス情報記載欄をサンバイザーから取り外して必要情報を記入し、再びサンバイザーに装着できるものが使用しやすい。
＜本出願人の他の発明の実施の形態２５＞
図３５において１２１はサンバイザーへの消臭部材等の装置方法であり、このサンバイザーへの消臭部材等の装置方法１２１は、多数の通気孔１２２を有するケース１２３にプリーツ形状消臭シート部材１２４が収納され、サンバイザー装着バンド１２５を備えた消臭装置１２６をサンバイザー５に装着し、その横に巻付けシート３０を装着するものである。サンバイザー装着バンド１２５は被覆針金部材からなり合わせねじって結束するものである。
＜本出願人の他の発明の実施の形態２６＞
図３６において１２８はサンバイザーへの消臭部材等の装置方法であり、このサンバイザーへの消臭部材等の装置方法１２８は、消臭装置１２６をサンバイザー５に装着して該１２６と該５の間にメンテナンス情報等表記カード１１６を挟持するものである。
＜本出願人の他の発明の実施の形態２７＞
図３７及び図３８において１３０は消臭装置であって、この消臭措置１３０は前記した消臭装置１２６の構成に加えてケース１２３から横に露出するようにしたメンテナンス情報表記部６を印刷してなる露出カード部１３１を該１２３の背部側に設けたものである。露出カード部１３１は出荷の際にケース１２３の背部に折り回されており、サンバイザー５に装着する際に回し露出させて使用できるようにする。１２５は被服針金部材からなっているが、ゴムバンドどもよい。
＜本出願人の他の発明の実施の形態２８＞
図３９において１３３はサンバイザーへの消臭部材等の装置方法であり、サンバイザーへの消臭部材等の装置方法１３３は消臭機能を有するウール編物製などの伸縮性消臭部材に一枚布からなる伸縮性消臭部材１３４で、プリーツ形状消臭シート部材１０１、１０１をサンバイザー５の表裏に挟持セットするものである。伸縮性消臭部材１３４の端方には面ファスナー１３５設けられ係止できるようになっている。大きな消臭効果を得ることができ、見た目も違和感のないものとできる。
＜本出願人の他の発明の実施の形態２９＞
図４０において１３７はサンバイザーへの消臭部材等の装置方法であり、サンバイザーへの消臭部材等の装置方法１３７は伸縮性消臭部材１３４で、消臭シート部材１３８をサンバイザー５に巻き挟持セットするものである。
＜本出願人の他の発明の実施の形態３０＞
図４１ないし図４３において１４０は広い開口部１４１を有するサンバイザー１４２に着脱できるように装着される消臭装置であって、消臭装置１４０は略四角孔からなるハニカム構造からなり押し畳むことができ且つ開口部１４１に填る形状となる消臭部１４３と、この消臭部１４３の上下前部に設けられた鍔部１４４、１４５とからなり、鍔部１４４には広告１４６が鍔部１４５にはメンテナンス情報表記欄１４７が印刷されている。出荷時は消臭部１４３と鍔部１４４、１４５は畳まれてコンパクトに包装され、サンバイザー１４２への装着時は消臭部１４３は開口部１４１に開きはめ込まれてその形状が保持され、鍔部１４４、１４５は消臭部１４３が置くに抜けないようにストッパーとメンテナンス情報表記欄１４７を知らせるという役割を果たす。
＜本出願人の他の発明の実施の形態３１＞
図４４及び図４５において１５０はサンバイザーであって、このサンバイザー１５０は骨組枠体からなるサンバイザー本体１５１と、該１５１を包み覆う袋形状に形成された消臭機能を有するウール編物製などの伸縮性消臭部材からなる消臭袋部材１５２とからなっている。１５３は係止部、１５４は係止部回避開口。通常使用するサンバイザーとなんら変わらないので、違和感なく使用できる。また、チケット等を挟み置くチケット等挟みポケットを設けるのもよい。また、消臭効果を高めるため、中に形成される中空部にハニカム構造の消臭紙部材などの消臭部材を挟み置くことができ大変効果的である。また、挟み置く消臭部材を一部としてあるいは置かないで、領収書類を入れ置くができ便利である。
＜本出願人の他の発明の実施の形態３２＞
図４６において１５６はサンバイザーであって、このサンバイザー１５６はコの字形態の骨組枠体からなるサンバイザー本体１５７と、該１５７のアーム部分１５８、１５９を通してサンバイザー本体１５７に装着される、アーム挿入孔１６０、１６１を有する消臭手段１６２とからなっている。
＜本出願人の他の発明の実施の形態３３＞
図４７及び図４８において１６５はサンバイザーであって、このサンバイザー１６５はサンバイザー本体１６６と、このサンバイザー本体１６６に開口された箱体からなる消臭手段装着部１６７と、この消臭手段装着部１６７にはめ込み装着される送風手段１６８と、消臭手段装着部１６７に送風手段１６８と分離して着脱できるように装着されるハニカム構造の消臭部材１６９とからなり、送風手段１６８及び消臭部材１６９と消臭手段装着部１６７との間には送風通路１７０が形成されるようになっていて、送風手段１６８で吸引送り出された空気は送風通路１７０を通り消臭部材１６９を通り消臭されて放出されるようになっている。消臭部材１６９には前記した消臭装置１４０の鍔部と同じ役割を果たす鍔部１７１が設けられ、広告１４６とメンテナンス情報表記欄１４７が印刷されている。鍔部の形態は消臭装置１４０と同様でもよい。強制的に空気を消臭部材に送り消臭するので、消臭能力が大きいという効果を奏する。
＜本出願人の他の発明の実施の形態３４＞
図５０および図５１において１７４は消臭シート部材であって、この消臭シート部材１７４はプリーツ状に折り畳まれたプリーツ形状消臭シート本体１７５と、両端に設けられた粘着剤や磁石や面ファスナーなどからなる着部材１７６、１７６とからなっている。ハンドルシャフトカバー１７７の上部に広げて貼り取り付けて使用したり、フロントパネル１７８の上に貼り付けて使用する。プリーツ状に折り畳まれた畳収縮広げ伸び自在に形成された消臭シート本体と、この消臭シート本体の両端に設けられた壁や天井や自動車のフロントパネルやハンドルシャフトカバーなどに着けるための粘着剤や磁石なのどの着部材とからなることを特徴とする消臭シート部材。
＜本出願人の他の発明の実施の形態３５＞
図５２において１８０は消臭機能付メンテナンス情報記録具であって、サンバイザーに巻き装着固定される巻き付け装着シート３３にプリーツ形状消臭シート部材３５を設け、その横にシート状部材の上下両端を巻き付け装着シート３３にくっ付けて挟みポケット５０を形成し、この挟みポケット５０の上に透明シート状部材の上下両端をくっ付けて挟みポケット１８１を形成し、この挟みポケット１８１に取り出し自在に挟み置くメンテナンス情報記録カード５７を備えてなる構成となっている。メンテナンスカード５７を挟みポケット１８１から抜き出してメンテナンス情報を記入できるので記入行ないやすいという効果を奏する。メンテナンスカード５７が単なるカードでもよく、この場合、メンテナンス情報を記入した粘着シートを張り付けてメンテナンス情報を表記する。
＜本出願人の他の発明の実施の形態３６＞
図５３および図５４はにおいて１８３は消臭具であって、この消臭具１８３は前記消臭シート部材１７４の構成に加えて、曲がりが柔らかなテープ状部材１８４、１８５を該１８４、１８５を伸ばした状態においてプリーツが所定の間隔に開き固定されるようにプリーツ形状消臭シート本体１７５の下の各プリーツの下向き頂点がテープ状部材１８４、１８５に接合された状態となっている。
＜本出願人の他の発明の実施の形態３７＞
図５５はにおいて１８７は消臭具であって、この消臭具１８７は前記消臭シート本体１８３の構成に加えて、結束紐１８８をテープ状部材１８４、１８５の両端に取り付け、サンバイザーの裏側で該結束紐１８８同士を結びつけて装着できるようにしたものである。
＜本出願人の他の発明の実施の形態３８＞
図５６において１９０は消臭具であって、この消臭具１９０は前記消臭シート部材１７４の構成に加えて、テープ状部材１８４、１８５をプリーツ形状消臭シート本体１７５の外に延ばして長くした形態の結束テープ１９１、１９２を設け、該１９１、１９２をサンバイザー裏側で接合し装着できるようにしたものである。
＜本出願人の他の発明の実施の形態３９＞
図５７において１９５は消臭具であって、この消臭具１９５は前記した消臭具１９０の構成の結束テープ１９１、１９２にかえて幅広の結束テープ１９６を設け、面ファスナー１９７で接合できるようにしたものである。
＜本出願人の他の発明の実施の形態４０＞
図５８および図５９において１９９は消臭具であって、この消臭具１９９はプリーツ形状消臭シート１７４（高山プリーツシート本体）の下部に、該１７４のプリーツ山より低いプリーツ山を形成してなる低山プリーツシート本体２００を夫々のプリーツ同士の下と上の頂部同士が接着されてなる消臭部本体２０１を形成し、該２０１の両側にサンバイザーの裏に回して接合や結束などにより該２０１を該サンバイザーの表側に装着固定するための装着手段２０２が設けられた構成となっている。低山プリーツシート本体２００が平ら状態になると、プリーツ形状消臭シート本体１７４の開き幅はその状態に固定される。装着手段２０２は低山シート本体２００を延長してなるものがよい。その場合、全体をプリーツ形状にしてもよいし、プリーツ形状消臭シート１７４に対応する部位のみをプリーツ形状にしてもよい。低山シート本体２００および装着手段２０２は消臭シートであるものがよい。図５９において、消臭具１９９をサンバイザー５に装着し、その間にメンテナンス情報記入部２０３を設けたメンテナンス情報カード２０４を挟み置いている。消臭機能を有し且つ自動車のサンバイザーに巻き装着する装着手段を有する消臭具と、この消臭具と前記サンバイザーに挟み置かれるメンテナンス情報記入部を有するメンテナンス情報カードとからなるサンバイザー装着具。この消臭具は前記してきた実施の形態の消臭手段を有するもの全ての形態をその技術的範疇に含むものである。
＜本出願人の他の発明の実施の形態４１＞
図６０において２０７は消臭具であって、この消臭具２０７はプリーツ形状消臭シート１７４と、消臭紙装着板２０８と、該２０８の略中央に設けられた粘着部材からなる弛み止め手段２０９とからなっている。消臭紙装着板は、プリーツ形状消臭シート１７４の全部をその守備内に入れるもの入れないもの、複数の帯板部材からなるものなど多様な形態がある。弛み止め手段２０９の剥離紙（図示せず）を剥がし、プリーツ形状消臭シート１７４の端方２１０を消臭紙装着カード２０８の所定の部位にステープル２１１（ホッチキスにより）で止め、もう一方の端方２１２を持ってプリーツ山を広げるように引いて該２１２を消臭紙装着カード２０８の所定の部位あるいは適当な部位にステープル２１１で止め、弛み止め手段２０９に対応する部位を該２０９貼り付けて装着する。錨などで壁に係止したり、部屋、トイレ、車中の適宜な場所に置くなどして使用する。
＜本出願人の他の発明の実施の形態４２＞
図６１において２１５は消臭具であって、この消臭具２１５はプリーツ形状消臭シート１７４と、該１７４の横幅（プリーツの非伸縮方向）より横幅が幅広の消臭紙装着板２１６と、該２１６と同じ長さの挟持板２１７と、消臭紙装着板２１６の両側部に設けられた弛み防止糸２１８を挟む切込みからなる弛み防止糸止部２１９とからなっている。消臭紙装着板２１６にプリーツ形状消臭シート１７４を広げて端方２１０と端方２１２をステープル２１１で止め、弛み防止糸２１８をプリーツ形状消臭シート１７４に張り弛み防止糸止部２１９に挟み張り状態を固定し、挟持板２１７をステープル２１１で消臭紙装着板２１６の下に装着する。挟持板２１７を下方に消臭紙装着板２１６を上に移動させて差込部２２０を形成し、該２２０にサンバイザー等（図示せず）を通して該サンバイザー等に装着する。挟持板２１７にプリーツ形状消臭シート１７４広げ取り付けて両側に消臭シートを設けるようにするのもよい。また、挟持板２１７と消臭紙装着板２１６を一つに連絡した消臭紙装着板として二つ折りにしなるものもよい。
＜本出願人の他の発明の実施の形態４３＞
図６２において２２１は消臭具であって、この消臭具２２１はプリーツ形状消臭シート１７４と、該１７５の横幅（プリーツの非伸縮方向）より横幅が幅広の消臭紙装着板本体２２２、この消臭紙装着板本体２２２に突出設けられた部位に印刷されたメンテナンス情報記入部２０３、消臭紙装着板本体２２２の内側に設けられた二本の切込み２２５、２２６により形成された挟持部２２３とからなる消臭紙装着板２２４とからなっている。消臭紙装着板２２４にプリーツ形状消臭シート１７４を広げて端方２１０と端方２１２をステープル２１１で止め装着する。挟持板２２３を下方に移動させて差込部２２０を形成し、該２２０にサンバイザー等（図示せず）を通して該サンバイザー等に装着する。
＜本出願人の他の発明の実施の形態４４＞
図６３において２２８は消臭具であって、この消臭具２２８はプリーツ形状消臭シート１７４と、該１７４と同じ数でプリーツ山の低いプリーツを形成してなるは低山プリーツ形状消臭シート２２９とからなっている。プリーツ形状消臭シート１７４と低山プリーツ形状消臭シート２２９は重ねられ、折り畳まれた状態で包装密封された手供される。プリーツ形状消臭シート１７４と低山プリーツ形状消臭シート２２９の二層となっているが、何層でもよい。プリーツ形状消臭シート１７４と低山プリーツ形状消臭シート２２９の端方２１０、２１０を重ね、吊孔２３０を有する消臭紙装着板２３１の一方の側にステープル２１１で止め、引き広げて端方２１２、２１２を該２３１の他方の側にステープル２１１で止め装着する。コンパクトな形態に空気流通がし易い空間を有する消臭面積の大きな消臭具を実現するという効果を奏する。また、コンパクトな状態で輸送できるので、輸送コストを安価にできるという効果を奏する。
＜本出願人の他の発明の実施の形態４５＞
図６４ないし図６６において２３５は消臭手段であって、この消臭手段２３５は消臭機能を有する消臭シート部材を高山のプリーツ形態に折り形成してなる最高山プリーツ体２３６と、この最高山プリーツ体２３６より低い山のプリーツ形態に折形成されて該２３６の下に該２３６との間に空気流通路が形成されるようにセットされる下中間プリーツ体２３７と、この下中間山プリーツ体２３７より低い山のプリーツ形態に折形成して該２３７の下に該２３７との間に空気流通路が形成されるようにセットされる最下山プリーツ体２３８と、最高山プリーツ体２３６より低い山のプリーツ形態に折形成して該２３６の上に該２３６との間に空気流通路が形成されるようにセットされる上中間山プリーツ体２３９と、この上中間山プリーツ体２３９より低い山のプリーツ形態に折形成して該２３９の上に該２３９との間に空気流通路が形成されるようにセットされる最上山プリーツ体２４０とからなるプリーツ型消臭シート群２４１と、プリーツ型消臭シート群２４１の各プリーツ体を広げ所定の位置関係に重ねた状態に収納する多数の通気孔（図示せず）や開口を有する平らに折り畳めることのできる収納ケースからなる広げ形態保持手段２４２とからなっている。各プリーツ体は広げ形態保持手段２４２より少し長めに広げて押し縮めるようにして収納することにより適度な反発力によりその広がり収納された形状が保持される。また重なりあう各プリーツ体同士が保持しあって広がった形状が保持され、各プリーツ同士の間に形成された空気流通路により空気の流通が行なわれ、大きな消臭面積の確保と空気量の活発な通過により高い消臭力を実現する。各プリーツ体は折り畳まれた状態で包装体２４３に包装された状態で、平らに展開状態の広げ形態保持手段２４２とともに使用者に提供される。使用者は広げ形態保持手段２４２を箱体に組み上げ、包装体２４３から各プリーツ体を取り出して広げ該２４３に重ね収める。広げ形態保持手段２４２は多数の通気孔（図示せず）有する四角体に組み上げられるようになっていいて、四角枠を形成する側壁２４４と、下蓋２４５と、上蓋２４６とからなっている。
（発明１）消臭機能を有する消臭紙をプリーツ形態に折り形成した第１のプリーツ体と、この第１のプリーツ体より低い山のプリーツ形態に折形成した第２のプリーツ体と、前記第１のプリーツ体と前記体２のプリーツ体を所定の幅に広げ重ね、該重ねた状態において両者間に空気流通路が形成されるようにその広げ幅を保持する広げ形態保持手段とからなることを特徴とする消臭手段。消臭紙を折り畳んで扇形に開かせた状態で通気孔を有する収納ボックスに収納してなるプリーツ状紙製消臭器が実案登録第３０６９３２８号、実案登録第３０７６２３７号に開示されている。この技術は、消臭面積が小さいために消臭能力が弱いという問題を持っていた。
＜本出願人の他の発明の実施の形態４６＞
図６７ないし図６９において２５０は消臭手段であって、この消臭手段２５０は消臭機能を有する消臭シート部材をプリーツ形態に折り形成してなる４つのプリーツ体２５１と、このプリーツ体２５１を空気通気路が形成されるように重ねるためにプリーツ体２５１同士の間に挟む消臭シート部材からなる仕切りシート２５２と、複数のプリーツ体２５１と仕切りシート２５２を重ね状態に収納する多数の通気孔（図示せず）を有する四角形の収納ケース２５４とからなっている。このようにしても、前記実施の形態４４の消臭手段と同じような効果を奏する。仕切りシートは消臭シートでなくてもよく、図６９に示すような多数の通気孔２５５を設けた格子シート２５６のような、下方や上方からも空気の流入が行なわれる形態のものであってもよい。また、仕切りシートにプリーツ体２５１の両端を接着などにより固定してなるものもよい。
＜本出願人の他の発明の実施の形態４７＞
図７０ないし図７１において２６０は消臭手段であって、この消臭手段２６０は消臭機能を有するサンバイザー５に巻き付ける板紙部材など腰の強い部材でプリーツ形態に形成したプリーツ部材２６１と、サンバイザー５に巻き付けたプリーツ部材２６１の上を覆うように巻き付け装着する、表側となる部位に通行チケットなどのカード１９を挿入するためのカード挿入口２６２、２６３が設けられた消臭シート部材２と、メンテナンス情報カード２０４とからからなっている。プリーツ部材２６１および消臭シート部材２のサンバイザー５への取り付けはステープル２１１で機械的に行なうようにしている。機械的な接合取り付けには、金属製のステープルによらず、重ねた紙束に穴をあけ該紙を重ね圧着することなどによりノンステープル式の綴じ具によるなどもよい。カード挿入口２６２、２６３は細長くくり抜かれた開口からなるもの、単なる切り込み線からなるものなどがある。カード挿入口の強度を増すために粘着テープなどの補強シートを貼ってからカード挿入口を形成するのもよい。また、消臭手段提供業者にカード挿入口の無い消臭シート部材が提供され、該消臭手段提供業者がカード挿入口を形成してお客に提供するのも、本発明の技術的範疇に含まれるものである。プリーツ部材２６１により通気路が形成されるので消臭シート部材２の裏側にも空気の流れによる空気との接触が行なわれ、消臭効果を高めるという効果を奏する。また、プリーツ部材２６１には多数の通気孔を設けるのが、より通気をよくして空気との接触量を増やし消臭効果を高めることができる。また、サンバイザー５に第１枚目の消臭シート部材２６１を巻き、その上にプリーツ部材２６１を巻き、さらにその上に第２枚目の消臭シート部材２６１をまくことにより、より消臭効果の高めることができる。
＜本出願人の他の発明の実施の形態４８＞
図７２において２６５は消臭シート部材（消臭手段）であって、この消臭シート部材２６５は消臭機能を有する消臭シート本体２と、この消臭シート本体２の表になる部位に設けらカード挿入口２６３と、消臭シート本体２の表になる部位に設けられたメンテナンス情報記入部２０３とからなっている。消臭シート本体２に切り込みか開口からなるカード挿入口２６３とメンテナンス情報記入部２０３を印刷などにより設けるという簡潔で安価な構成であるので、メンテナンス情報の表記、チケットの挟み置き行為による運転者のメンテナンス情報の確認行為の意識化、消臭機能による車中の快適化を同時に安価に実現するという効果を奏し、消臭シート部材の交換のためのお客の来社意欲を促すという効果を奏する。
＜本出願人の他の発明の実施の形態４９＞
図７３において２６８は消臭シート部材（消臭手段）であって、この消臭シート部材２６８は消臭機能を有する消臭シート本体２と、この消臭シート本体２の表になる部位に設けら側部と上部をカットして形成したベロ部２６９を内側に折り畳んで形成したカード挿入口２６７とからなっている。サンバイザー５に巻き装着した消臭シート部材２６８と該５との間にメンテナンス情報カード２０４を挟み置いている。ベロ部２６９によりカード挿入口２６７の下開口縁が浮き上がるのでチケット１９などを挿入し易いと共に、該した開口縁を強化するという効果を奏する。サービス会社の担当者の名刺をカード挿入口２６７から差し込んで置くことにより、そこがカードやチケットを挟み置くポケットであることをお客は容易に理解し使用するようになる。また、多様な薬品や表面形状を有する可能性のある消臭シート部材は印刷機に悪影響を及ぼすことも考えられるが、メンテナンス情報カード２０４の使用によりこうした問題にも対応できると共に、メンテナンス情報を表記するときにはメンテナンス情報カード２０４を引き抜いて記入でくるので使用しやすいという効果も奏する。
＜本出願人の他の発明の実施の形態５０＞
図７４において２７０は消臭シート部材（消臭手段）であって、この消臭シート部材２７０は消臭機能を有する消臭シート本体２と、この消臭シート本体２の表になる部位に設けら粘着シートからなる補強シート２７２を貼った部位の内側を切り抜いて形成したカード挿入口２７１とからなっている。サンバイザー５に巻き装着した消臭シート部材２６８と該５との間にカード挿入口２７１にメンテナンス情報カード２７３を挟み置いている。メンテナンス情報カード２７３の表側の消臭シート部材本体２内に入る部位に粘着部を設け、消臭シート部材本体２にメンテナンス情報カード２７３を固定するのもよい。
＜本発明の実施の形態５１＞
図７５および図７６に示す本発明の実施の形態５１において２８０はカード等差込係止部付消臭部材であって、このカード等差込係止部付消臭部材２８０は略縦センチ、横 センチの消臭シート本体２８１を、左右対称に１センチ程度の縁折部２８２、２８３および１．５センチほど縁を開けて ７センチ程の深折りをしてカード差込係止部２８４，２８５を形成するとともに左右を連絡する連絡部２８６を形成し、さらにサンバイザー５の背部側に位置する部位にサンバイザー５の背部鏡２８７が隠れず使用できるようにするための折入部２８８、２８９を切り込み２９０設けている。サンバイザー５の背部に背部鏡２８７がある場合には、切離部２９１を切り離して折り部２８８、２８９を背部鏡２８７が露出させる開口を形成するように内側に折り入れて、サンバイザー５の背部で重なった部位をホッチキスなどで止め装着する。
＜００＞
自動車のサンバイザーに巻いた状態で該サンバイザーの背部で重なり部分が形成される長さの消臭シート本体と、この消臭シート本体の適宜な部位を折畳んで略名刺大のカードやチケットなどがその一部を露出して差し込みいっぱいとなる深さの左右に適宜な間隔を開けて形成されたカード等差仕込部と、自動車内のサンバイザーに巻き装着した場合に該サンバイザーの背部側に位置する部位に設けられている背部鏡が隠れず使用できるようにするための切り込みにより形成された折入れ部とからなり、サンバイザーの背部に前記背部鏡がある場合には、前記折り部を該背部鏡が露出させる開口を形成するように内側に折り入れることができるようにしてなることを特徴とするカード等差込係止部付消臭部材。サンバイザーの背部に鏡がある場合に、消臭紙の量を減らすこと無くその鏡を容易に使用可能にできるという効果を奏する。
＜００＞
＜本発明の実施の形態５２＞
図７７および図７８に示す本発明の実施の形態５２において２９５はカード等差込係止部付消臭部材であって、このカード等差込係止部付消臭部材２９５は大きさが略Ａ３用紙形態の消臭シート本体２９６を、左右対称に１センチ程度の縁折部２８２、２８３および１．５センチほど縁を開けて左右の折部分が近接するか重なる程度の深折りをしてカード差仕込部２８４，２８５を形成するとともに左右を連絡する連絡部２９７を形成し、幅が１０センチ程度に形成されてなる。図７８に示すように、サンバイザー５の背部に背部鏡２８７を避けるように、その左右に二本のカード等差込係止部付消臭部材２９５、２９５をサンバイザー５の背部側の重り部分をホッチキス等で止め接合・繋いで装着する。消臭部材２９５、２９５の間に二つ折り三つ折りなどにした消臭シートを挿し込み固定するのもよい。
＜００＞
自動車のサンバイザーに巻いた状態で該サンバイザーの背部で重なり部分が形成される長さの消臭シート本体と、この消臭シート本体の適宜な部位を折畳んで略名刺大のカードやチケットなどがその一部を露出して差し込みいっぱいとなる深さで、且つ、その奥折り畳部側が近接するか重なる程度にされたカード等差仕込部とからなることを特徴とするカード等差込係止部付消臭部材。幅の狭いカード等差込係止部付消臭部材にすることができるので、１本〜４本をサンバイザー長さや形態に対応して自由に装着することができるので、背部鏡を避けた装着、沢山のカード等差込係止部が欲しい等の要望に容易に応えることができるという効果を得ることができる。また、下記実施の形態５３に示すような、カード等差込係止部付消臭部材２８０にカード等差込係止部付消臭部材２９５を重ねるように装着することなど、消臭紙の増加やカード等差込係止部の増設に即応することができる。
＜００＞
＜本発明の実施の形態５３＞
図７９に示す本発明の実施の形態５３は、前記実施の形態５１のカード等差込係止部付消臭部材２８０と前記実施の形態５２のカード等差込係止部付消臭部材２９５を組み合わせて、サンバイザー５に装着したものである。消臭能力増大およびカードの収納箇所を増設するのに便利である。
＜００＞
＜本発明の実施の形態５４＞
図８０および図８１に示す本発明の実施の形態５４において２９９はカード等差込係止部付消臭部材であって、このカード等差込係止部付消臭部材２９９は大きさが略Ａ４用紙形態の消臭シート本体３００の両端を裏側に略１センチ程度おり縁折り部２８２，２８３を形成し、折り重ねるに伴い幅が狭くなってゆく形態の下部３０１、中間部３０２、上部３０３の３枚のプリーツ折りで形成し、下部３０１に１．５センチ程度のカード案内部３０４を形成するとともに中間部３０２にもカード案内部３０５が形成されるように、中間部３０２と上部３０３を深折りして、名刺大のカードをいっぱいに差込んでもその一部が露出するカード等差込係止部３０６，３０７を有する、幅が略６センチ程度に形成されたものである。図８１において、サンバイザー５に適宜な間隔をあけてカード等差込係止部付消臭部材２９９、２９９を巻き装着する。その際、サンバイザー５に当接する縁折り部２８２、２８２の向きを同じ向きにする。略Ａ４用紙の長手側の一方の縁を１センチほど内側に折り畳んだ縁折り部３０８と外側に折畳んだ縁折り部３０９を形成し、さらに横向きにした場合に下方に７センチほどのカード等差込係止部３１０が形成されるように縁折り部３０８側を折り上げてなる構成のカード等差込係止部付消臭部材３１１を、サンバイザー５に装着されたカード等差込係止部付消臭部材２９９、２９９に、サンバイザー５に当接した縁折り部２８２側から差し込みサンバイザー５の表側に取り付ける。カード等差込係止部付消臭部材２９９は、縁折り部２８２がサンバイザー５に当接しがアゴのある構成であり縁折り部２８３側はアゴのない構成であるので、縁折り部２８２側からのシートや長いカードの挿入通しが、障害がなく行えるという便利な構成である。
＜００＞
例えば、縁を折り強化し見た目も整美感を持たせた縁折り部を有する構成において、カード等差込係止部付消臭部材２９９、２９９を適宜な間隔を空けてサンバイザーに装着して、広告などのカードやメンテナンスサービスカードの抜き差しが問題なく行え、カードの交換、カードへのメンテナンス情報の記入などが容易に行えるという効果を得ることができる。
＜００＞
自動車のサンバイザーに巻いた状態で該サンバイザーの背部で重なり部分が形成される長さの消臭シート本体と、この消臭シート本体の端を裏側に折って形成した縁折り部と、順次幅が狭くなる３枚のプリーツが形成されるようにプリーツ折りをすることにより形成された、名刺大のカードをいっぱいに差込んでもその一部が露出する深さの右側のカード等差込係止部ならびに左側のカード等差込係止部とからなることを特徴とするカード等差込係止部付消臭部材。
＜００＞
＜本発明の実施の形態５５＞
図８２に示す本発明の実施の形態５５において３１５はカード等差込係止部付消臭部材であって、カード等差込係止部付消臭部材３１５は、このカード等差込係止部付消臭部材３１５は大きさが略Ａ４用紙形態の消臭シート本体３００の長手側の一方側を内側ぶ略１センチ程度折畳んで縁折り部３１６を形成し、他方の縁を外側に折畳んで縁折り部３１７を形成し、３枚のプリーツが形成され且つ１センチほどのカード案内部３１８、３１９が形成されて同じ向きのカード等差込係止部３２０，３２１が形成された幅略５〜６センチ程度の構成となっている。前記実施の形態５４のカード等差込係止部付消臭部材２９９と同じように使用する。
＜００＞
自動車のサンバイザーに巻いた状態で該サンバイザーの背部で重なり部分が形成される長さの消臭シート本体と、この消臭シート本体の端を裏側に折って形成した縁折り部と、この縁折り部から該縁折り部側の折り目が順次遠ざかるプリーツが形成されるようにプリーツ折りをすることにより形成された、名刺大のカードをいっぱいに差込んでもその一部が露出する深さの上部のカード等差込係止部ならびに左側のカード等差込係止部とからなることを特徴とするカード等差込係止部付消臭部材。このような構成にしても前記実施の形態５４のものと同じような効果を得ることができる。
＜００＞また、上のプリーツをその下のプリーツの両側に空きが出るように該下のプリーツよりも幅狭に形成してなるカード等差込係止部付消臭部材もよい。この構成では、少なくとも右側に重なる二つ左側に一つ計三つのカード等差込係止部を設けることができる。
＜００＞
＜本発明の実施の形態５６＞
図８３に示す本発明の実施の形態５６において３３０はカード等差込係止部付消臭部材であって、このカード等差込係止部付消臭部材３３０は、消臭シート本体３３１の両縁を略１センチ程度折畳んで縁折り部３３２，３３３を形成し、且つ、左右に７センチほどの深さのカード等差込係止部３３４、３３５がカード案内部３３６、３３７を有するよう形成されるよう重ねプリーツ折りをしてなる構成となっている。
＜００＞
自動車のサンバイザーに巻いた状態で該サンバイザーの背部で重なり部分が形成される長さの消臭シート本体と、この消臭シート本体を折って一方の側に名刺大のカードをいっぱいに差込んでもその一部が露出する深さに形成された下部カード等差込係止部と、この下部カード等差込係止部の前部に下部カード案内部が形成されるように二枚重ね状態でお折り返してもう一方の側に名刺大のカードをいっぱいに差込んでもその一部が露出する深さで前部に上部カード案内部を有するように形成された上部カード等差込係止部とからなることを特徴とするカード等差込係止部付消臭部材。このような二枚重ねプリーツ折りとすることにより、より広面積である消臭能力の強い消臭シートを小面積で使用できるという効果を奏する。
＜００＞
＜本発明の実施の形態５７＞
図８４に示す本発明の実施の形態５７において３４０はカード等差込係止部付消臭部材であって、このカード等差込係止部付消臭部材３４０は、自動車のサンバイザー５に巻いた状態で、サンバイザー５の前部で重なり部分が形成される長さの消臭シート本体３４１と、この消臭シート本体３４１をサンバイザー５に巻いた状態で前部で下方からの立ち上がり部位３４２を上にし上方からの立下り部位３４３を下方にして、前方で両者を粘着剤ややホッチキスで接合しカード等差込係止部３４４を形成し、さらに立ち上がり部位３４２にカードを差込み係止するための切込みを横や斜めに入れて形成したカード等差込係止部３４５、３４６、３４７を設けてなるものである。
＜００＞
＜本発明の実施の形態５８＞
図８５に示す本発明の実施の形態５８において３５０はカード等差込係止部付消臭部材であって、このカード等差込係止部付消臭部材３５０は、消臭シート３５１と、カード等差込係止部付消臭部材２９５の縁折り部の無い形態の消臭部材３５２とからなっていて、消臭部材３５２のカード等差込係止部３５３、３５４のうち内側の該３５４に消臭シート３５１の一方を差込んだ状態でサンバイザー５に巻き背部で重なり部位をホッチキス（ステップラー）等で接合してなるものである。
【０００９】
【発明の効果】
本発明は以上述べたようになっているので次に述べるような効果を奏する。
＜請求項１記載の発明の効果＞
サンバイザーに巻いて該サンバイザーの裏側で重なった部分をホッチキスあるいは粘着テープで止め該サンバイザーに装着することができるシート本体と、このシート本体を縦に折り畳んで形成した下部および上部と、前記下部を裏側に縦に折り畳んで形成した縁折部と、前記上部と前記下部の間に形成されたカードを差し込み係止するためのカード差込係止部と、前記上部を前記縁折部の縁よりも内側で折り畳んで該上部より外側に露出するように形成した前記下部の露出部位であるカード案内部とからなることを特徴とするカード等差込係止部付部材である。

＜請求項２記載の発明の効果＞
請求項１記載の発明の構成において、シート本体に、四角形のカードの四隅角を挿入することができる４箇所の切込みからなる挿入係止部を設けてなることを特徴とするカード等差込係止部付部材である。
【００１０】
＜付記＞
［付記１］ 消臭機能を有する紙製、合成樹脂製、布製などの消臭シートからなる消臭手段、この消臭手段を自動車車内に設置されているサンバイザーに巻きつける巻き付け工程と、巻き付けた前記消臭手段を前記サンバイザー裏側で粘着テープや粘着剤や面ファスナーなどの固定手段で固定する巻き付け固定工程とからなることを特徴とする自動車車内の消臭手段等の設置方法。
［付記２］ 消臭手段に自動車のオイル交換などのメンテナンス情報を記入するためのメンテナンス情報表記部が印刷され、前記消臭手段をサンバイザーに装着した状態で前記メンテナンス情報表記部にメンテナンス事項が記入できるようにしてなり、このサンバイザーに装着前あるいは装着後にメンテナンス記入欄にメンテナンス事項を記入する面テンス事項記入工程を設けてなることを特徴とする付記１記載の自動車車内の消臭手段等の設置方法。
［付記３］ カード本体に自動車のオイル交換などのメンテナンス情報を記入するためのメンテナンス情報表記部が印刷されたメンテナンス情報カード、このメンテナンス情報カードをサンバイザーに装着された消臭手段と該サンバイザーの間に、前記メンテナンス情報表記部が該消臭手段の外側に露出され該メンテナンス情報表記部にメンテナンス事項が記入できるように挟み保持するメンテナンス情報カード挟み保持工程を設けてなることを特徴とする付記１記載の自動車車内の消臭手段等の設置方法。
［付記４］ シート本体に自動車のオイル交換などのメンテナンス情報を記入するためのメンテナンス情報表記部が印刷されたメンテナンス情報シート、このメンテナンス情報シートをサンバイザーに装着された消臭手段の隣に該サンバイザーに巻きつけて装着し前記メンテナンス情報表記部にメンテナンス事項が記入できるように装着するメンテナンス情報シート装着工程を設けてなることを特徴とする付記１記載の自動車車内の消臭手段等の設置方法。
［付記５］ 消臭手段が消臭機能を有する紙製、合成樹脂製、布製などの消臭シート部材で形成されたサンバイザーが挿入でき該サンバイザーを包む空洞部容積を有する消臭シート筒状部材からなり、巻き付け工程から巻き付け固定工程が、前記消臭シート筒状部材の空洞部に前記サンバイザーを通して該サンバイザーの一部を包むように装着する装着工程と、前記消臭シート筒状部材の遊び部分を前記サンバイザー裏側で寄せ上げて折り畳み粘着テープや接着剤などの固定手段により該折り畳み部分を折り畳んだ状態で固定する寄せ上げ固定工程とからなるものであることを特徴とする付記１、２、３、４いずれか記載の自動車車内の消臭手段等の設置方法。
［付記６］ 消臭手段が消臭手段の適宜な部位を折り畳み折り返してチケットや領収書やカードなどを挟み置くことができるカード等挟み置き部を形成してなるものであることを特徴とする付記１、２、３、４、５いずれか記載の自動車車内の消臭手段等の設置方法。
［付記７］ 消臭手段の全部あるいは一部がプリーツ形状に形成されてなるものであることを特徴とする付記１、２、３、４、５、６いずれか記載の自動車車内の消臭手段等の設置方法。
［付記８］ 消臭手段の全部あるいは一部がプリーツ形状に形成され、このプリーツの各折ひだがある程度開いた状態に固定されるように該プリーツ部分がシート部材やバンド部材や板部材などの固定部材に接着固定されてなることを特徴とする付記１、２、３、４、５、６いずれか記載の自動車車内の消臭手段等の設置方法。
［付記９］ 消臭手段あるいはこの消臭手段とともにサンバイザーに装着されるメンテナンス情報シートやメンテナンス情報カードに、前記消臭手段の消臭効果期限と自動車の次の定期検査日を同じとする表示及び期日が記入できる期限欄が設けられ、この期限欄に必要期日を記入する期日記入工程を設けてなることを特徴とする付記１、２、３、４、５、６、７、８いずれか記載の自動車車内の消臭手段等の設置方法。
［付記１０］ 消臭手段が消臭機能と伸縮性を有するウール製編物部材やゴム製シート部材や合成樹脂製シート部材や不織布製部材などの消臭伸縮性部材で筒状あるいは袋状に形成されたサンバイザーよりも狭い空洞部を有する消臭伸縮性包み部材からなり、この消臭伸縮性包み部材を伸ばして前記空洞部を広げ前記サンバイザーを通して該サンバイザーの一部あるいは全部を包むように装着するようにしてなるものであることを特徴とする付記１、３、４いずれか記載の自動車車内の消臭手段等の設置方法。
［付記１１］ 消臭機能を有する紙製、合成樹脂製、布製などの自動車車内のサンバイザーに巻き付け該サンバイザーに装着するための消臭シート本体と、この消臭シート本体の前記サンバイザーに装着した場合に表側に表示されるように設けられた自動車のオイル交換などのメンテナンス情報を記入するためのメンテナンス情報表記部とからなることを特徴とするサンバイザー装着用消臭手段。
［付記１２］ 消臭機能を有する紙製、合成樹脂製、布製などの自動車車内のサンバイザーに巻き付け該サンバイザーに装着するための消臭シートと、この消臭シートを前記サンバイザーに巻き付け装着した状態で該消臭シートと該サンバイザーの間に挟み保持されるカード本体、このカード本体の前記消臭シートの外側に露出した部位に印刷された自動車のオイル交換などのメンテナンス情報を記入するためのメンテナンス情報表記部とからなるメンテナンス情報カードとからなることを特徴とするサンバイザー装着用消臭手段。
［付記１３］ 消臭機能を有する紙製、合成樹脂製、布製などの自動車車内のサンバイザーに巻き付け該サンバイザーに装着するための消臭シートと、この消臭シートを前記サンバイザーに巻き付け装着した状態で該消臭シートの隣に該サンバイザーに巻き付けて装着されるシート本体、このシート本体に印刷された自動車のオイル交換などのメンテナンス情報を記入するためのメンテナンス情報表記部とからなるメンテナンス情報シートとからなることを特徴とするサンバイザー装着用消臭手段。
［付記１４］ 消臭機能を有する紙製、合成樹脂製、布製などの消臭シート部材で形成されたサンバイザーが挿入でき該サンバイザーを余裕を持って包む空洞部容積を有する消臭シート筒状部材本体と、この消臭シート筒状部材本の前記空洞部を前記サンバイザーを空洞部に通して該サンバイザーの一部を包むように装着した状態で前記消臭シート筒状部材本体の遊び部分を寄せ上げて形成される寄せ上げ部とからなることを特徴とするサンバイザー装着用消臭手段。
［付記１５］ 消臭シート本体が、消臭機能を有する紙製、合成樹脂製、布製などの消臭シート部材で形成されたサンバイザーが挿入でき該サンバイザーを余裕を持って包む空洞部容積を有する消臭シート筒状部材本体であり、この消臭シート筒状部材本の前記空洞部を前記サンバイザーを空洞部に通して該サンバイザーの一部を包むように装着した状態で前記消臭シート筒状部材本体の遊び部分を寄せ上げて形成される寄せ上げ部を形成するようにしてなることを特徴とする付記１１、１２、１３いずれか記載のサンバイザー装着用消臭手段。
［付記１６］ 消臭シート部材の適宜な部位を折り畳み折り返してチケットや領収書やカードなどを挟み置くことができるカード等挟み置き部を設けて成ることを特徴とする付記１１、１２、１３、１４、１５いずれか記載のサンバイザー装着用消臭手段。
［付記１７］ 消臭シート部材の全部あるいは一部がプリーツ形状に形成されてなるプリーツ部を設けて成ることを特徴とする付記１１、１２、１３、１４、１５、１６いずれか記載のサンバイザー装着用消臭手段。
［付記１８］ 消臭シート部材の全部あるいは一部がプリーツ形状に形成されたプリーツ部を設け、このプリーツ部の各折りひだがある程度開いた状態に固定されるように該プリーツ部分が接着されたシート部材やバンド部材や板部材などの固定部材を設けてなることを特徴とする付記１１、１２、１３、１４、１５、１６、１７いずれか記載のサンバイザー装着用消臭手段。
［付記１９］ 消臭シート部材あるいはメンテナンス情報シートやメンテナンス情報カードに、消臭装置の消臭効果期限と自動車の次の定期検査日を同じとする表示及び期日が記入できる期限欄を設けてなることを特徴とする付記１１、１２、１３、１４、１５、１６、１７、１８いずれか記載のサンバイザー装着用消臭手段。
［付記２０］ 消臭機能と伸縮性を有するウール製編物部材やゴム製シート部材や合成樹脂製シート部材や不織布製部材などの消臭伸縮性部材で筒状あるいは袋状に形成されたサンバイザーよりも狭い空洞部を有する消臭伸縮性包み部材からなり、前記空洞部を広げ前記サンバイザーを該空洞部に通して該サンバイザーの一部あるいは全部を包むように装着するようにしてなることを特徴とするサンバイザー装着用消臭手段。
［付記２１］ 消臭機能と伸縮性を有するウール製編物部材やゴム製シート部材や合成樹脂製シート部材や不織布製部材などの消臭伸縮性部材で筒状あるいは袋状に形成されたサンバイザーよりも狭い空洞部を有し且つ該サンバイザーの一部を包む長さの消臭伸縮性包み部材と、この消臭伸縮性包み部材を前記サンバイザーに装着した状態で該消臭伸縮性包み部材と該サンバイザーの間に挟み保持されるカード本体、このカード本体の前記消臭伸縮性包み部材の外側に露出した部位に印刷された自動車のオイル交換などのメンテナンス情報を記入するためのメンテナンス情報表記部とからなるメンテナンス情報カードとからなることを特徴とするサンバイザー装着用消臭手段。
［付記２２］ 消臭機能と伸縮性を有するウール製編物部材やゴム製シート部材や合成樹脂製シート部材や不織布製部材などの消臭伸縮性部材で筒状あるいは袋状に形成されたサンバイザーよりも狭い空洞部を有し且つ該サンバイザーの一部を包む長さの消臭伸縮性包み部材と、この消臭伸縮性包み部材を前記サンバイザーに装着した状態で該消臭伸縮性部材の隣に該サンバイザーに巻き付けて装着されるシート本体、このシート本体に印刷された自動車のオイル交換などのメンテナンス情報を記入するためのメンテナンス情報表記部とからなるメンテナンス情報シートとからなることを特徴とするサンバイザー装着用消臭手段。
［付記２３］ 紙製、合成樹脂製、布製などの自動車車内のサンバイザーに巻き付け該サンバイザーに装着するためのシート部材により平シート状にあるいは筒状に形成されたシート形成体、このシート形成体の全部あるいは一部がプリーツ形状に形成されてなるプリーツ部とからなるプリーツ付シート体と、消臭機能と伸縮性を有するウール製編物部材やゴム製シート部材や合成樹脂製シート部材や不織布製部材などの消臭伸縮性部材で筒状あるいは形成されたサンバイザーを通す空洞部を有する消臭伸縮性包み部材とからなり、サンバイザーに巻きつけ装着した前記プリーツ付シート体を前記消臭伸縮性包み部材で包むように装着するようにしてなることを特徴とするサンバイザー装着用消臭手段。
［付記２４］ 消臭機能を有する紙製、合成樹脂製、布製などの自動車車内のサンバイザーに巻き付け該サンバイザーに装着するための消臭シート部材により平シート状にあるいは筒状に形成された消臭シート形成体、この消臭シート形成体の全部あるいは一部がプリーツ形状に形成されてなるプリーツ部とからなるプリーツ付消臭シート体と、消臭機能と伸縮性を有するウール製編物部材やゴム製シート部材や合成樹脂製シート部材や不織布製部材などの消臭伸縮性部材で筒状あるいは形成されたサンバイザーを通す空洞部を有する消臭伸縮性包み部材とからなり、サンバイザーに巻きつけ装着した前記プリーツ付消臭シート体を前記消臭伸縮性包み部材で包むように装着するようにしてなることを特徴とするサンバイザー装着用消臭手段。
［付記２５］ 消臭伸縮性包み部材本体が一枚の布状に形成され、対抗する両端側に該両端を連結するための面ファスナーやクリップや嵌合ボタンなどの連結手段を設けてなることを特徴とする付記２０、２１、２２、２３、２４いずれか記載のサンバイザー装着用消臭手段。
［付記２６］ 自動車のサンバイザーに巻き装着する形態の消臭機能を有する消臭シート本体と、この消臭シート本体の前記サンバイザーに装着した状態で表側となる部位に設けられた、切込みや開口からなる交通チケットや名刺などのカードを差込むためのカード差込部とからなり、前記サンバイザーに消臭シート本体を巻き装着した状態において、前記カード差込部からカードを差込んで該カードを該サンバイザーと該消臭シート本体に挟み置くことができるようにしてなることを特徴とするサンバイザー装着用消臭手段。
［付記２７］ 消臭シート本体の表側となる部位に自動車のメンテナンス情報が記入できるメンテナンス情報記入欄を設けてなることを特徴とする付記２６記載のサンバイザー装着用消臭手段。
［付記２８］ 自動車のサンバイザーに巻き装着する形態の消臭機能を有する消臭シート部材に、前記サンバイザーに装着した状態で表側となる部位に設けられた、切込みや開口からなる交通チケットや名刺などのカードを差込むためのカード差込部を形成するカード差込部形成工程を有することを特徴とするサンバイザー装着用消臭手段の製造方法。
［付記２９］ 消臭シート部材の表側となる部位に自動車のメンテナンス情報が記入できるメンテナンス情報記入欄を設けるメンテナンス情報記入欄形成工程を有することを特徴とする付記２８記載のサンバイザー装着用消臭手段の製造方法。
［付記３０］ 自動車のサンバイザーに巻いた状態で該サンバイザーの背部で重なり部分が形成される長さの消臭シート本体と、この消臭シート本体の適宜な部位を折畳んで略名刺大のカードやチケットなどがその一部を露出して差し込みいっぱいとなる深さの左右に適宜な間隔を開けて形成されたカード等差仕込部と、自動車内のサンバイザーに巻き装着した場合に該サンバイザーの背部側に位置する部位に設けられている背部鏡が隠れず使用できるようにするための切り込みにより形成された折入れ部とからなり、サンバイザーの背部に前記背部鏡がある場合には、前記折り部を該背部鏡が露出させる開口を形成するように内側に折り入れることができるようにしてなることを特徴とするカード等差込係止部付消臭部材。
［付記３１］ 自動車のサンバイザーに巻いた状態で該サンバイザーの背部で重なり部分が形成される長さの消臭シート本体と、この消臭シート本体の適宜な部位を折畳んで略名刺大のカードやチケットなどがその一部を露出して差し込みいっぱいとなる深さで、且つ、その奥折り畳部側が近接するか重なる程度にされたカード等差仕込部とからなることを特徴とするカード等差込係止部付消臭部材。
［付記３２］ 自動車のサンバイザーに巻いた状態で該サンバイザーの背部で重なり部分が形成される長さの消臭シート本体と、この消臭シート本体の端を裏側に折って形成した縁折り部と、順次幅が狭くなる３枚のプリーツが形成されるようにプリーツ折りをすることにより形成された、名刺大のカードをいっぱいに差込んでもその一部が露出する深さの右側のカード等差込係止部ならびに左側のカード等差込係止部とからなることを特徴とするカード等差込係止部付消臭部材。
［付記３３］ 自動車のサンバイザーに巻いた状態で該サンバイザーの背部で重なり部分が形成される長さの消臭シート本体と、この消臭シート本体の端を裏側に折って形成した縁折り部と、この縁折り部から該縁折り部側の折り目が順次遠ざかるプリーツが形成されるようにプリーツ折りをすることにより形成された、名刺大のカードをいっぱいに差込んでもその一部が露出する深さの上部のカード等差込係止部ならびに左側のカード等差込係止部とからなることを特徴とするカード等差込係止部付消臭部材。
［付記３４］ 自動車のサンバイザーに巻いた状態で該サンバイザーの背部で重なり部分が形成される長さの消臭シート本体と、この消臭シート本体を折って一方の側に名刺大のカードをいっぱいに差込んでもその一部が露出する深さに形成された下部カード等差込係止部と、この下部カード等差込係止部の前部に下部カード案内部が形成されるように二枚重ね状態でお折り返してもう一方の側に名刺大のカードをいっぱいに差込んでもその一部が露出する深さで前部に上部カード案内部を有するように形成された上部カード等差込係止部とからなることを特徴とするカード等差込係止部付消臭部材。
［発明の属する技術分野］
付記発明は主に自動車内への消臭手段の設置方法および自動車内への設置に適した自動車車内の消臭手段等の設置方法、サンバイザー装着用消臭手段およびサンバイザー装着用消臭手段の製造方法に関する。
[従来技術]
消臭機能を有するシートを積層させたフレームにベルトを設けて、このベルトでサンバイザーに前記フレームを装着する自動車用消臭用具が特開平９−２３９０１９に開示されている。また、サンバイザーに開口部が設けられ、この開口部に着脱自在に消臭剤が収納された収納ボックスをはめ込むようにした自動車用サンバイザーが実案開平３−８１１５２に開示されている。また、消臭紙を折り畳んで扇形に開かせた状態で通気孔を有する収納ボックスに収納してなるプリーツ状紙製消臭器が実案登録３０７６２３７に開示されている。また、自動車のオイル交換時期などのメンテナンス情報は目に付くところにないために、忘れてしまい自動車の寿命や部品の寿命を短くしてしまうという問題があった。
[発明が解決しようとする課題]
特開平９−２３９０１９に開示されているものは、その構成が消臭シートの積層、フレーム、ベルトと構成部品が多く製造コストや運送費が嵩むなど高価になり、安価で広告機能を有するノベルティー商品としては採用し難いという欠点を持つものであった。実案開平３−８１１５２に開示されているものは、サンバイザーに所定の開口部を有している特定の自動車にしか使用できない、消臭剤とそれを収納した収納ボックスと構成部品が多く製造コストや運送費が嵩むため高価になるなど、どの車でも使用できる安価で広告機能を有するノベルティー商品としては採用し難いという欠点を持つものであった。実案登録３０７６２３７に開示されているものは、消臭紙をプリーツ状に形成し、それを通気孔を有する収納ケースに収めたものであるので、構成部品が多く製造コストや運送費が嵩み高価となり、車内の目に付かない場所に置かれるので宣伝効果が弱い、安価なノベルティー商品としては採用し難いという欠点を持つものであった。また、上述した従来技術は共通して広告やメンテナンス情報が記入できる部位が極端に少なく、自動車修理工場が行なう広告とお客つなぎ止め効果を期待できないという欠点を有するものであった。
付記発明は以上のような従来技術の持つ欠点に鑑みてなされたものであって、その目的は、自動車のサンバイザーに簡単に着脱可能で安価なノベルティー品として優れた自動車車内の消臭手段等の設置方法、サンバイザー装着用消臭手段およびサンバイザー装着用消臭手段の製造方法を提供するにある。また、車内の快適な空気環境の実現と共にメンテナンス情報と該メンテナンス情報を運転者に意識化させることのできる自動車車内の消臭手段等の設置方法、サンバイザー装着用消臭手段およびサンバイザー装着用消臭手段の製造方法を提供するにある。
[発明の効果]
付記発明は以上述べたようになっているので次に述べるような効果を奏する。
＜付記１記載の自動車車内の消臭手段等の設置方法の発明の効果＞付記１記載の発明は、自動車車内に設置されているサンバイザーに消臭機能を有する紙製、合成樹脂製、布製などの消臭シートからなる消臭手段を巻きつけ装着することを特徴とする自動車車内の消臭手段等の設置方法であるので、消臭シートを巻きつけ粘着テープなどにより該粘着シートの両側をサンバイザーの裏側で接合するなどして簡単容易にサンバイザーに装着でき、構成部品数、加工内容、輸送コストなど極めて安価であり、表面になる部位に広告やメンテナンス情報部欄を印刷できるので、これらを印刷することにより自動車修理工場などがお客へのサービスとお客止め及び広告品としては最適なサービス品を実現する。サービスを受けたお客にとっては、消臭シートによる車内の消臭が行われているので家族などが乗車しても臭いによる不快感や車酔いなどを起こさせないという効果を殆ど無料あるいは極めて安価に得ることができるという効果を奏する。お客は消臭機能の無くなった消臭手段を交換したいと願うので、お客自らがサービス店に来客するという集客を促進するという効果を得ることができる。
＜付記２記載の自動車車内の消臭手段等の設置方法の発明の効果＞付記２記載の発明は、消臭機能を有する紙製、合成樹脂製、布製などの消臭シートで形成された袋状部材や筒状部材からなる消臭手段に自動車車内に設置されているサンバイザーを通し該サンバイザーの全部あるいは一部を該消臭手段で包むように装着することを特徴とする自動車車内の消臭手段等の設置方法であるので、付記１記載の発明と同じ様な効果を奏する＜付記３記載の自動車車内の消臭手段等の設置方法の発明の効果＞付記３記載の発明は付記１、２いずれかに記載の発明の効果に加えて、自動車車内のサンバイザーに巻きつけ装着される消臭機能を有する消臭シート本体と、この消臭シート本体に設けられた自動車のオイル交換（オイル交換時の走行距離や次期オイル交換走行距離数など）などのメンテナンス情報を記入するためのメンテナンス情報表記部とからなることを特徴とするサンバイザー装着用消臭シートであるので、サービスを受けたお客にとってはオイル交換、６ヶ月点検、オイルエレメントなどの交換時期が絶えず眼につくところに在るので、忘れることなく車のメンテナンスを行なうことができ大変便利であるという効果を奏する。また、サービス側にとっては、広告やメンテナンス情報が絶えず最も運転手の目に付く部位に固定表示され続けるので、お客止めお客の固定化を促進するという効果を得ることができる。お客は消臭シートの交換を希望して整備に訪れるという効果も期待できる。
＜付記４記載の自動車車内の消臭手段等の設置方法の発明の効果＞付記４記載の発明は付記１記載の発明の構成に加えて、シート本体に自動車のオイル交換などのメンテナンス情報を記入するためのメンテナンス情報表記部が印刷されたメンテナンス情報シート、このメンテナンス情報シートをサンバイザーに装着された消臭手段の隣に該サンバイザーに巻きつけて装着し前記メンテナンス情報表記部にメンテナンス事項が記入できるように装着するメンテナンス情報シート装着工程を設けてなる自動車車内の消臭手段等の設置方法をであるので、付記１記載の発明の効果に加えて、消臭手段とメンテナンス情報シートとを別にしたので、メンテナンス情報シートはサービス店ごとのものを作成し、消臭手段は単なるシート部材とすることができ、多様な薬品を使用している消臭手段に印刷するリスクを考慮しなくてよいという効果を奏する。メンテナンス情報シートに消臭手段の交換日を記入できるようにするのもよい。
＜付記５記載の自動車車内の消臭手段等の設置方法の発明の効果＞付記１、２、３、４いずれか記載の発明の効果に加えて、消臭手段が消臭機能を有する紙製、合成樹脂製、布製などの消臭シート部材で形成されたサンバイザーが挿入でき該サンバイザーを包む空洞部容積を有する消臭シート筒状部材からなり、巻き付け工程から巻き付け固定工程が、前記消臭シート筒状部材の空洞部に前記サンバイザーを通して該サンバイザーの一部を包むように装着する装着工程と、前記消臭シート筒状部材の遊び部分を前記サンバイザー裏側で寄せ上げて折り畳み粘着テープや接着剤などの固定手段により該折り畳み部分を折り畳んだ状態で固定する寄せ上げ固定工程とからなるものであるので、大きさのちがう多様なサンバイザーに装着できると共に、サンバイザーへの装着が容易であるという効果を奏する。また、サンバイザー裏側で寄せ上げて折り畳み部位を固定する粘着テープが劣化して剥がれても、サンバイザーから弛んだり、ずり落ちたりしないという効果を奏する。
＜付記６記載の自動車車内の消臭手段等の設置方法の発明の効果＞付記１、２、３、４、５いずれか記載の発明の効果に加えて、消臭手段が消臭手段の適宜な部位を折り畳み折り返してチケットや領収書やカードなどを挟み置くことができるカード等挟み置き部を形成してなるものであるので、チケットホルダーが運転手の目の上に設置され大変便利であると共に、チケットの挿入・取り出しのたびにメンテナンス情報が意識化され、オイル交換、各種フィルター交換などのメンテナンスを忘れることなく行い、愛車の整備を怠り無く行なえるように仕向けるという効果を奏する。
＜付記７記載の自動車車内の消臭手段等の設置方法の発明の効果＞付記１、２、３、４、５、６いずれか記載の発明の効果に加えて、消臭手段の全部あるいは一部がプリーツ形状に形成されてなるものであるので、消臭手段の消臭面積を増大させ消臭能力を増大させるという効果を奏する。
＜付記８記載の自動車車内の消臭手段等の設置方法の発明の効果＞付記１、２、３、４、５、６いずれか記載の発明の効果に加えて、消臭手段の全部あるいは一部がプリーツ形状に形成され、このプリーツの各折ひだがある程度開いた状態に固定されるように該プリーツ部分（一部あるいは全部が）がシート部材やバンド部材や板部材などの固定部材に接着固定されてなるものであるので、サンバイザーに巻き装着した際にひだ部分が間延びしてダレ下がることを防止するという効果を奏する。
＜付記９記載の自動車車内の消臭手段等の設置方法の発明の効果＞付記１、２、３、４、５、６、７、８いずれか記載の発明の効果に加えて、消臭手段あるいはこの消臭手段とともにサンバイザーに装着されるメンテナンス情報シートやメンテナンス情報カードに、前記消臭手段の消臭効果期限と自動車の次の定期検査日を同じとする表示及び期日が記入できる期限欄が設けられ、この期限欄に必要期日を記入する期日記入工程を設けてなるものであるので、消臭手段の交換のための来社と定期点検の来社を重ね記入しておくことにより、よりお客の来社を促進することができるという効果を奏する。
＜付記１０記載の自動車車内の消臭手段等の設置方法の発明の効果＞付記１、３、４いずれか記載の発明の効果に加えて、消臭手段が消臭機能と伸縮性を有するウール製編物部材やゴム製シート部材や合成樹脂製シート部材や不織布製部材などの消臭伸縮性部材で筒状あるいは袋状に形成されたサンバイザーよりも狭い空洞部を有する消臭伸縮性包み部材からなり、この消臭伸縮性包み部材を伸ばして前記空洞部を広げ前記サンバイザーを通して該サンバイザーの一部あるいは全部を包むように装着するようにしてなるものであるので、粘着剤やステープルなどの固定手段なしに容易にサンバイザーに装着できるとい効果を奏する。
＜付記１１記載のサンバイザー装着用消臭手段の発明の効果＞消臭機能を有する紙製、合成樹脂製、布製などの自動車車内のサンバイザーに巻き付け該サンバイザーに装着するための消臭シート本体と、この消臭シート本体の前記サンバイザーに装着した場合に表側に表示されるように設けられた自動車のオイル交換などのメンテナンス情報を記入するためのメンテナンス情報表記部とからなるものであるので、消臭シートを巻きつけ粘着テープなどにより該粘着シートの両側をサンバイザーの裏側で接合するなどして簡単容易にサンバイザーに装着でき、構成部品数、加工内容、輸送コストなど極めて安価であり、表面になる部位に広告やメンテナンス情報部欄を設けていあるので、自動車修理工場などがお客へのサービスとお客止め及び広告品としては最適なサービス品を実現する。サービスを受けたお客にとっては、消臭シートによる車内の消臭が行われているので家族などが乗車しても臭いによる不快感や車酔いなどを起こさせないという効果を殆ど無料あるいは極めて安価に得ることができるという効果を奏する。お客は消臭機能の無くなった消臭手段を交換したいと願うので、お客自らがサービス店に来客するという集客を促進するという効果を得ることができる。サービスを受けたお客にとってはオイル交換、６ヶ月点検、オイルエレメントなどの交換時期が絶えず眼につくところに在るので、忘れることなく車のメンテナンスを行なうことができ大変便利であるという効果を奏する。また、サービス側にとっては、広告やメンテナンス情報が絶えず最も運転手の目に付く部位に固定表示され続けるので、お客止めお客の固定化を促進するという効果を得ることができる。お客は消臭シートの交換を希望して整備に訪れるという効果も期待できる。
＜付記１２記載のサンバイザー装着用消臭手段の発明の効果＞消臭機能を有する紙製、合成樹脂製、布製などの自動車車内のサンバイザーに巻き付け該サンバイザーに装着するための消臭シートと、この消臭シートを前記サンバイザーに巻き付け装着した状態で該消臭シートと該サンバイザーの間に挟み保持されるカード本体、このカード本体の前記消臭シートの外側に露出した部位に印刷された自動車のオイル交換などのメンテナンス情報を記入するためのメンテナンス情報表記部とからなるメンテナンス情報カードとからなるものであるので、付記１１記載の発明の効果に加えて、消臭手段とメンテナンス情報記入部とを別にしたので、メンテナンス情報カードはサービス店ごとのものを作成し、消臭手段は単なるシート部材とすることができ、多様な薬品を使用している消臭手段に印刷するリスクを考慮しなくてよいという効果を奏する。また、メンテナンス情報の記入の際にはメンテナンス情報カードを抜き取り記入できるので記入がし易いという効果を奏する。
＜付記１３記載のサンバイザー装着用消臭手段の発明の効果＞付記４記載の発明と同じような効果を奏する。
＜付記１４記載のサンバイザー装着用消臭手段の発明の効果＞付記５記載の発明と同じような効果を奏する。
＜付記１５記載のサンバイザー装着用消臭手段の発明の効果＞付記１０記載の発明と同じような効果を奏する。
＜付記１６記載のサンバイザー装着用消臭手段の発明の効果＞付記６記載の発明と同じような効果を奏する。
＜付記１７記載のサンバイザー装着用消臭手段の発明の効果＞付記７記載の発明と同じような効果を奏する。
＜付記１８記載のサンバイザー装着用消臭手段の発明の効果＞付記８記載の発明と同じような効果を奏する。
＜付記１９記載のサンバイザー装着用消臭手段の発明の効果＞付記９記載の発明と同じような効果を奏する。
＜付記２０記載のサンバイザー装着用消臭手段の発明の効果＞付記１０記載の発明と同じような効果を奏する。
＜付記２１記載のサンバイザー装着用消臭手段の発明の効果＞付記２０記載の発明の効果に加えて、消臭機能と伸縮性を有するウール製編物部材やゴム製シート部材や合成樹脂製シート部材や不織布製部材などの消臭伸縮性部材で筒状あるいは袋状に形成されたサンバイザーよりも狭い空洞部を有し且つ該サンバイザーの一部を包む長さの消臭伸縮性包み部材と、この消臭伸縮性包み部材を前記サンバイザーに装着した状態で該消臭伸縮性包み部材と該サンバイザーの間に挟み保持されるカード本体、このカード本体の前記消臭伸縮性包み部材の外側に露出した部位に印刷された自動車のオイル交換などのメンテナンス情報を記入するためのメンテナンス情報表記部とからなるメンテナンス情報カードとからなっているので、付記１２記載の発明の効果を奏する。
＜付記２２記載のサンバイザー装着用消臭手段の発明の効果＞付記２０記載の発明の効果に加えて、消臭機能と伸縮性を有するウール製編物部材やゴム製シート部材や合成樹脂製シート部材や不織布製部材などの消臭伸縮性部材で筒状あるいは袋状に形成されたサンバイザーよりも狭い空洞部を有し且つ該サンバイザーの一部を包む長さの消臭伸縮性包み部材と、この消臭伸縮性包み部材を前記サンバイザーに装着した状態で該消臭伸縮性部材の隣に該サンバイザーに巻き付けて装着されるシート本体、このシート本体に印刷された自動車のオイル交換などのメンテナンス情報を記入するためのメンテナンス情報表記部とからなるメンテナンス情報シートとからなっているので、付記４記載の発明の効果を奏する。
＜付記２３記載のサンバイザー装着用消臭手段の発明の効果＞紙製、合成樹脂製、布製などの自動車車内のサンバイザーに巻き付け該サンバイザーに装着するためのシート部材により平シート状にあるいは筒状に形成されたシート形成体、このシート形成体の全部あるいは一部がプリーツ形状に形成されてなるプリーツ部とからなるプリーツ付シート体と、消臭機能と伸縮性を有するウール製編物部材やゴム製シート部材や合成樹脂製シート部材や不織布製部材などの消臭伸縮性部材で筒状あるいは形成されたサンバイザーを通す空洞部を有する消臭伸縮性包み部材とからなり、サンバイザーに巻きつけ装着した前記プリーツ付シート体を前記消臭伸縮性包み部材で包むように装着するようにしてなるものであるので、付記２０記載の発明の効果に加えて、内側に空気流通路が形成され消臭手段の通気性が格段に向上するので消臭能力を大幅に向上させるという効果を奏する。
＜付記２４記載のサンバイザー装着用消臭手段の発明の効果＞消臭機能を有する紙製、合成樹脂製、布製などの自動車車内のサンバイザーに巻き付け該サンバイザーに装着するための消臭シート部材により平シート状にあるいは筒状に形成された消臭シート形成体、この消臭シート形成体の全部あるいは一部がプリーツ形状に形成されてなるプリーツ部とからなるプリーツ付消臭シート体と、消臭機能と伸縮性を有するウール製編物部材やゴム製シート部材や合成樹脂製シート部材や不織布製部材などの消臭伸縮性部材で筒状あるいは形成されたサンバイザーを通す空洞部を有する消臭伸縮性包み部材とからなり、サンバイザーに巻きつけ装着した前記プリーツ付消臭シート体を前記消臭伸縮性包み部材で包むようにしてなるものであるので、付記２３記載の発明の効果に加えて、プリーツ型消臭シートによる消臭力のよりいっそうの向上を実現するという効果を奏する。
＜付記２５記載のサンバイザー装着用消臭手段の発明の効果＞付記２０、２１、２２、２３、２４いずれか記載の発明の効果と同じ効果を奏する。
＜付記２６記載のサンバイザー装着用消臭手段の発明の効果＞自動車のサンバイザーに巻き装着する形態の消臭機能を有する消臭シート本体と、この消臭シート本体の前記サンバイザーに装着した状態で表側となる部位に設けられた、切込みや開口からなる交通チケットや名刺などのカードを差込むためのカード差込部とからなり、前記サンバイザーに消臭シート本体を巻き装着した状態において、前記カード差込部からカードを差込んで該カードを該サンバイザーと該消臭シート本体に挟み置くことができるようにしてなるサンバイザー装着用消臭手段を構成しているので、消臭シート本体に切り込みか開口からなるカード挿入口を設けるという簡潔で安価な構成で、車内の臭気の解消とチケットの挟み置きができるという効果を奏する。また、メンテナンス情報記入カードを消臭シート本体とサンバイザーに挟み置くことができ、こうすることにより、メンテナンス情報の表記、チケットの挟み置き行為による運転者のメンテナンス情報の確認行為の意識化を実現し、自動車の自覚的なメンテナンスを促して愛車の適切なメンテナンスを実現させるという効果を奏する。また、消臭シート部材の交換のための来客を促進するという効果も奏する。
＜付記２７記載のサンバイザー装着用消臭手段の発明の効果＞付記２６記載の発明の構成において、サンバイザー装着用消臭手段消臭シート本体の表側となる部位に自動車のメンテナンス情報が記入できるメンテナンス情報記入欄を設けてなるものであるので、消臭シート本体２に切り込みか開口からなるカード挿入口２６３とメンテナンス情報記入部２０３を印刷などにより設けるという簡潔で安価な構成であるので、メンテナンス情報の表記、チケットの挟み置き行為による運転者のメンテナンス情報の確認行為の意識化、消臭機能による車中の快適化を同時に安価に実現するという効果を奏し、消臭シート部材の交換のためのお客の来社意欲を促すという効果を奏する。
＜付記２８記載のサンバイザー装着用消臭手段の製造方法の発明の効果＞付記２６記載の発明と同じような効果を奏する。
＜付記２９記載のサンバイザー装着用消臭手段の製造方法の発明の効果＞付記２７記載の発明と同じような効果を奏する。
【図面の簡単な説明】
【図１】 本出願人の他の発明の実施の形態１を示す斜視図。
【図２】 本出願人の他の発明の実施の形態１のサンバイザーを降ろした状態の斜視図。
【図３】 本出願人の他の発明の実施の形態２の裏面図。
【図４】 本出願人の他の発明の実施の形態２の表面図。
【図５】 本出願人の他の発明の実施の形態２のサンバイザーに装着した状態正面図。
【図６】 本発明の実施の形態３の表面図。
【図７】 本発明の実施の形態３の平面図。
【図８】 本発明の実施の形態３のサンバイザーに装着した状態正面図。
【図９】 本発明の実施の形態４の表面図。
【図１０】 本発明の実施の形態４の平面図。
【図１１】 本出願人の他の発明の実施の形態５の表面図。
【図１２】 本出願人の他の発明の実施の形態５のサンバイザーに装着した状態正面図。
【図１３】 本発明の実施の形態６のサンバイザーに装着した状態正面図。
【図１４】 本出願人の他の発明の実施の形態７のサンバイザーに装着した状態側面図。
【図１５】 本出願人の他の発明の実施の形態８の側面図およびサンバイザーに装着した状態側面図。
【図１６】 本発明の実施の形態９のサンバイザーに装着した状態正面図。
【図１７】 本出願人の他の発明の実施の形態１０のサンバイザーに装着した状態正面図。
【図１８】 本出願人の他の発明の実施の形態１１の表面図。
【図１９】 本発明の実施の形態１２のサンバイザーに装着した状態正面図。
【図２０】 本出願人の他の発明の形態１３の巻付けシート状部材をサンバイザーに装着した状態正面図。
【図２１】 本出願人の他の発明の実施の形態１３の全部材をサンバイザーに装着した状態正面図。
【図２２】 本出願人の他の発明の実施の形態１４のサンバイザーに装着した状態正面図。
【図２３】 本出願人の他の発明の実施の形態１４の消臭装置の構成図。
【図２４】 本出願人の他の発明の実施の形態１５の側面図およびサンバイザーに装着した状態側面図。
【図２５】 本出願人の他の発明の実施の形態１６の側面図およびサンバイザーに装着した状態側面図。
【図２６】 本出願人の他の発明の実施の形態１７の側面図およびサンバイザーに装着した状態側面図。
【図２７】 本出願人の他の発明の実施の形態１８の側面図およびサンバイザーに装着した状態側面図。
【図２８】 本出願人の他の発明の実施の形態１９サンバイザーに装着した状態側面図。
【図２９】 本発明の実施の形態２０表面図。
【図３０】 本発明の実施の形態２０のサンバイザーに装着した状態側面図。
【図３１】 本発明の実施の形態２１の組み立てを示す斜視面図。
【図３２】 本発明の実施の形態２２を示す斜視図。
【図３３】 本出願人の他の発明の実施の形態２３のサンバイザーに装着した状態斜視図。
【図３４】 本出願人の他の発明の形態２４のサンバイザーに装着した状態正面図。
【図３５】 本出願人の他の発明の実施の形態２５のサンバイザーに装着した状態斜視図。
【図３６】 本出願人の他の発明の実施の形態２６のサンバイザーに装着した状態斜視図。
【図３７】 本出願人の他の発明の実施の形態２７を示す斜視図。
【図３８】 本出願人の他の発明の実施の形態２７のサンバイザーに装着した状態斜視図。
【図３９】 本出願人の他の発明の実施の形態２８のサンバイザーに装着した状態側面図。
【図４０】 本出願人の他の発明の実施の形態２９のサンバイザーに装着した状態側面図。
【図４１】 本出願人の他の発明の実施の形態３０サンバイザーの正面図。
【図４２】 本出願人の他の発明の実施の形態３０の消臭装置の構成図。
【図４３】 本出願人の他の発明の実施の形態３０の消臭装置をサンバイザーに装着した状態正面図。
【図４４】 本出願人の他の発明の実施の形態３１のサンバイザーおよび消臭装置の説明図。
【図４５】 本出願人の他の発明の実施の形態３１の消臭装置をサンバイザーに装着した状態正面図。
【図４６】 本出願人の他の発明の実施の形態３２のサンバイザーおよび消臭装置の説明図。
【図４７】 本出願人の他の発明の実施の形態３３の正面図。
【図４８】 本出願人の他の発明の実施の形態３３の消臭装置の機構説明図。
【図４９】 本出願人の他の発明の実施の形態１０の消臭装置を自動車の天井に貼り付けた状態を示す斜視図。
【図５０】 本出願人の他の発明の実施の形態３４の側面図。
【図５１】 本出願人の他の発明の実施の形態３４の消臭紙をハンドルシャフトカバーに装着した状態側面図。
【図５２】 本出願人の他の発明の実施の形態３５の表面図。
【図５３】 本出願人の他の発明の実施の形態３６の側面図。
【図５４】 本出願人の他の発明の実施の形態３６の裏面図。
【図５５】 本出願人の他の発明の実施の形態３７の側面図。
【図５６】 本出願人の他の発明の実施の形態３８の裏面図。
【図５７】 本出願人の他の発明の実施の形態３９の側面図。
【図５８】 本出願人の他の発明の実施の形態４０の側面図。
【図５９】 本出願人の他の発明の実施の形態４０のサンバイザーに装着した状態正面図。
【図６０】 本出願人の他の発明の実施の形態４１の組み立て前側面図および組み立て側面図。
【図６１】 本出願人の他の発明の実施の形態４２の組み立て前側面図および組み立て側面図。
【図６２】 本出願人の他の発明の実施の形態４３の組み立て前平面図および組み立て側面図。
【図６３】 本出願人の他の発明の実施の形態４４の組み立て前平面図および組み立て側面図。
【図６４】 本出願人の他の発明の実施の形態４５のプリーツ体群の包装状態および開放状態側面図。
【図６５】 本出願人の他の発明の実施の形態４５の組み立て途中側面図。
【図６６】 本出願人の他の発明の実施の形態４５の組み立て側面図。
【図６７】 本出願人の他の発明の実施の形態４６の組み立て前部品側面図。
【図６８】 本出願人の他の発明の実施の形態４６の組み立て側面図。
【図６９】 本出願人の他の発明の実施の形態４６の格子シートの平面図。
【図７０】 本出願人の他の発明の実施の形態４７のサンバイザーに装着した状態側面図。
【図７１】 本出願人の他の発明の実施の形態４７のサンバイザーに装着した状態正面図。
【図７２】 本出願人の他の発明の実施の形態４８のサンバイザーに装着した状態正面図。
【図７３】 本出願人の他の発明の実施の形態４９のサンバイザーに装着した状態正面図。
【図７４】 本出願人の他の発明の実施の形態５０のサンバイザーに装着した状態正面図。
【図７５】 本発明の実施の形態５１の斜視図。
【図７６】 本発明の実施の形態５１のサンバイザーに装着した状態の概念図。
【図７７】 本発明の実施の形態５２の斜視図。
【図７８】 本発明の実施の形態５２のサンバイザーに装着した状態正面図。
【図７９】 本発明の実施の形態５３のサンバイザーに装着した状態正面図。
【図８０】 本発明の実施の形態５４の斜視図。
【図８１】 本発明の実施の形態５４のサンバイザーに装着した状態正面図。
【図８２】 本発明の実施の形態５５の斜視図。
【図８３】 本発明の実施の形態５６の斜視図。
【図８４】 本発明の実施の形態５７のサンバイザーに装着した状態正面図。
【図８５】 本発明の実施の形態５８のサンバイザーに装着した状態正面図。
【符号の説明】
１：消臭シート部材
２：シート部材本体
３：メンテナンス情報表記欄
４：粘着テープ
５：サンバイザー
６：広告記載欄
７：チケット等挟み置き部８：通行券
９：消臭シート部材
１０：サンバイザー合わせ部
１１：裏回し部
１２：粘着剤部
１７：消臭シート部材
１８：挟みポケット（カード差込係止部）
１９：カード
２２：消臭シート部材
２５：消臭シート部材
２６：挟みポケット部
３０：巻付けシート
３１：シート本体
３２：消臭装置
３３：巻付装着シート
３４：シート本体
３５：プリーツ形状消臭シート部材
３７：消臭装置
３８：包み装着シート
４０：粘着テープ
４３：メンテナンス情報表記シート
４４：シート本体
４７：消臭装置４８：粘着剤部
４９：基台
５０：挟みポケット
５３：消臭装置
５５：消臭シート部材
５６：挿入係止部
５７：メンテナンス情報表記カード
５８：挿入係止部
５９：キャンペーン等カード
６２：巻付けシート状部材
６７：巻付けシート状部
６８：シート本体
６９：挿入係止部
７０：消臭装置
７１：台紙
７２：第１層目プリーツ形状消臭シート部材
７３：通気性消臭シート部材
７４：第２層目プリーツ形状消臭シート部材
７５：メンテナンス情報表記粘着シート
７６：空き部
７７：消臭手段
７８：包み装着消臭シート部材
７９：シート本体
８１：包み消臭シート部材
８２：プリーツ部
８４：消臭シート部材
８６：包み装着消臭シート部材
８７：プリーツ部
８９：消臭装置
９０：包み装着部材
９２：消臭装置
９３：巻付けシート部
９４：プリーツ消臭シート部材
９５：プリーツ消臭シート部材
９６：隙間形成アダプター
９９：消臭装置
１００：粘着剤部
１０１：プリーツ形状消臭シート部材
１０２：密封部材
１０４：消臭装置
１０５：粘着剤部
１０６：プリーツ形状消臭シート部材
１０８：消臭装置
１０９：巻付けシート部材
１１０：プリーツ形状消臭シート部材
１１３：サンバイザーへの消臭部材装着方法
１１４：伸縮性筒状消臭部材
１１５：広告部
１１６：メンテナンス情報等表記カード
１１７：シート部材
１１８：カード本体
１１９：チケット等挟み置き部
１２１：サンバイザーへの消臭部材等の装置方法
１２２：通気孔
１２３：ケース
１２４：プリーツ形状消臭シート部材
１２５：サンバイザー装着バンド
１２８：サンバイザーへの消臭部材等の装置方法
１３０：消臭措置
１３１：露出カード部
１３３：サンバイザーへの消臭部材等の装置方法
１３４：伸縮性消臭部材
１３５：面ファスナー
１３７：サンバイザーへの消臭部材等の装置方法
１３８：消臭シート部材
１４０：消臭装置
１４１：開口部
１４２：サンバイザー
１４３：消臭部
１４４：鍔部
１４５：鍔部
１４６：広告
１４７：メンテナンス情報表記欄
１５０：サンバイザー
１５１：サンバイザー本体
１５２：消臭袋部材
１５３：係止部
１５４：クリップ回避開口
１５６：サンバイザー
１５７：サンバイザー本体
１５８：アーム部分
１５９：アーム部分
１６０：アーム挿入孔
１６１：アーム挿入孔
１６２：消臭手段
１６５：サンバイザー
１６６：サンバイザー本体
１６７：消臭手段装着部
１６８：送風手段
１６９：消臭部材
１７０：送風通路
１７１：鍔部
１７４：消臭シート部材
１７５：プリーツ形状消臭シート本体
１７６：着部材
１７７：ハンドルシャフトカバー
１７８：ロントパネル
１８０：消臭機能付メンテナンス情報記録具
１８１：挟みポケット
１８３：消臭具
１８４：テープ状部材
１８５：テープ状部材
１８７：消臭具
１８８：結束紐
１９０：消臭具
１９１：結束テープ
１９２：結束テープ
１９５：消臭具消臭シート本体１７５
１９６：結束テープ
１９７：面ファスナー
１９９：消臭具
２００：低山シート本体
２０１：消臭部本体
２０２：装着手段
２０３：メンテナンス情報記入部
２０４：メンテナンス情報カード
２０７：消臭具
２０８：消臭紙装着板
２０９：弛み止め手段
２１０：端方
２１１：ステープル２１２：端方
２１５：消臭具
２１６：消臭紙装着板
２１７：挟持板
２１８：弛み防止糸
２１９：弛み防止糸止部
２２０：差込部
２２１：消臭具
２２２：消臭紙装着板本体
２２３：挟持部
２２４：消臭紙装着板
２２５：切込み
２２６：切込み
２２８：消臭具
２２９：低山プリーツ形状消臭シート
２３０：吊孔
２３１：消臭紙装着板
２３５：消臭手段
２３６：最高山プリーツ体
２３７：下中間山プリーツ体
２３８：最下山プリーツ体
２３９：上中間山プリーツ体
２４０：最上山プリーツ体
２４１：プリーツ型消臭シート群
２４２：広げ形態保持手段
２４３：包装体
２４４：側壁
２４５：下蓋
２４６：上蓋
２５０：消臭手段
２５１：プリーツ体
２５２：仕切りシート
２５４：収納ケース
２５５：通気孔
２５６：格子シート
２６０：消臭手段
２６１：プリーツ部材
２６３：カード挿入口
２６５：消臭シート部材
２６７：カード挿入口
２６８：消臭シート部材
２６９：ベロ部
２７０：消臭シート部材
２７１：カード挿入口
２７２：補強シート
２７３：メンテナンス情報カード
２７９：カード
２８０：カード等差込係止部付消臭部材
２８１：消臭シート本体
２８２：縁折部
２８３：縁折部
２８４：カード差込係止部
２８５：カード差込係止部
２８６：連絡部
２８７：背部鏡
２８８：折入部
２８９：折入部
２９０：切り込み
２９１：切離部
２９５：カード等差込係止部付消臭部材
２９６：消臭シート本体
２９７：連絡部
２９９：カード等差込係止部付消臭部材
３００：消臭シート本体
３０１：下部
３０２：中間部
３０３：上部
３０４：カード案内部
３０５：カード案内部
３０６：カード等差込係止部
３０７：カード等差込係止部
３０８：縁折り部
３０９：縁折り部
３１０：カード等差込係止部
３１１：カード等差込係止部付消臭部材
３１５：カード等差込係止部付消臭部材
３１６：縁折り部
３１７：縁折り部
３１８：カード案内部
３１９：カード案内部
３２０：カード等差込係止部
３２１：カード等差込係止部
３２２：カード案内部
３２３：カード等差込係止部
３３０：カード等差込係止部付消臭部材
３３１：消臭シート本体
３３２：縁折り部
３３３：縁折り部
３３４：カード等差込係止部
３３５：カード等差込係止部
３３６：カード案内部
３３７：カード案内部
３４０：カード等差込係止部付消臭部材
３４１：消臭シート本体
３４２：立ち上がり部位
３４３：立下り部位
３４４：カード等差込係止部
３４５：カード等差込係止部
３４６：カード等差込係止部
３４７：カード等差込係止部
３５０：カード等差込係止部付消臭部材
３５１：消臭シート
３５２：消臭部材
３５３：カード等差込係止部
【図３】
0004191426.tif 000002
【図４】
0004191426.tif 000003
【図６】
0004191426.tif 000004
【図７】
0004191426.tif 000005
【図９】
0004191426.tif 000006
【図１０】
0004191426.tif 000007
【図１１】
0004191426.tif 000008
【図１４】
0004191426.tif 000009
【図１５】
0004191426.tif 000010
【図１８】
0004191426.tif 000011
【図２４】
0004191426.tif 000012
【図２６】
0004191426.tif 000013
【図２８】
0004191426.tif 000014
【図２９】
0004191426.tif 000015
【図３１】
0004191426.tif 000016
【図３２】
0004191426.tif 000017
【図３３】
0004191426.tif 000018
【図３９】
0004191426.tif 000019
【図４０】
0004191426.tif 000020
【図４８】
0004191426.tif 000021
【図５２】
0004191426.tif 000022
【図６３】
0004191426.tif 000023
【図７０】
0004191426.tif 000024
【図７７】
0004191426.tif 000025
【図１】
0004191426.tif 000026
【図２】
0004191426.tif 000027
【図５】
0004191426.tif 000028
【図８】
0004191426.tif 000029
【図１２】
0004191426.tif 000030
【図１３】
0004191426.tif 000031
【図１６】
0004191426.tif 000032
【図１７】
0004191426.tif 000033
【図１９】
0004191426.tif 000034
【図２０】
0004191426.tif 000035
【図２１】
0004191426.tif 000036
【図２２】
0004191426.tif 000037
【図２３】
0004191426.tif 000038
【図２５】
0004191426.tif 000039
【図２７】
0004191426.tif 000040
【図３０】
0004191426.tif 000041
【図３４】
0004191426.tif 000042
【図３５】
0004191426.tif 000043
【図３６】
0004191426.tif 000044
【図３７】
0004191426.tif 000045
【図３８】
0004191426.tif 000046
【図４１】
0004191426.tif 000047
【図４２】
0004191426.tif 000048
【図４３】
0004191426.tif 000049
【図４４】
0004191426.tif 000050
【図４５】
0004191426.tif 000051
【図４６】
0004191426.tif 000052
【図４７】
0004191426.tif 000053
【図４９】
0004191426.tif 000054
【図５０】
0004191426.tif 000055
【図５１】
0004191426.tif 000056
【図５３】
0004191426.tif 000057
【図５４】
0004191426.tif 000058
【図５５】
0004191426.tif 000059
【図５６】
0004191426.tif 000060
【図５７】
0004191426.tif 000061
【図５８】
0004191426.tif 000062
【図５９】
0004191426.tif 000063
【図６０】
0004191426.tif 000064
【図６１】
0004191426.tif 000065
【図６２】
0004191426.tif 000066
【図６４】
0004191426.tif 000067
【図６５】
0004191426.tif 000068
【図６６】
0004191426.tif 000069
【図６７】
0004191426.tif 000070
【図６８】
0004191426.tif 000071
【図６９】
0004191426.tif 000072
【図７１】
0004191426.tif 000073
【図７２】
0004191426.tif 000074
【図７３】
0004191426.tif 000075
【図７４】
0004191426.tif 000076
【図７５】
0004191426.tif 000077
【図７６】
0004191426.tif 000078
【図７８】
0004191426.tif 000079
【図７９】
0004191426.tif 000080
【図８０】
0004191426.tif 000081
【図８１】
0004191426.tif 000082
【図８２】
0004191426.tif 000083
【図８３】
0004191426.tif 000084
【図８４】
0004191426.tif 000085
【図８５】
0004191426.tif 000086